(57)【要約】  本願は伝送方向及び伝送チャネルの決定方法及び装置、コンピュータ記憶媒体を開示し、前記方法は、端末はセル専用のＲＲＣシグナリングである第１構成シグナリングを受信し、前記第１構成シグナリングに基づいて目標リソースが第１伝送方向に対応することを決定することと、前記端末は第２構成シグナリングを受信し、前記第２構成シグナリングに基づいて前記目標リソースが第２伝送方向に対応することを決定することと、前記端末は前記目標リソースの方向を前記第１伝送方向として決定し、前記第１伝送方向に基づいてネットワーク装置とデータ伝送を行うことと、を含む。
2021507640.tif 000002
【特許請求の範囲】
【請求項１】
伝送方向の決定方法であって、
端末はセル専用の無線リソース制御（ＲＲＣ）シグナリングである第１構成シグナリングを受信し、前記第１構成シグナリングに基づいて目標リソースが第１伝送方向に対応することを決定することと、
前記端末は第２構成シグナリングを受信し、前記第２構成シグナリングに基づいて前記目標リソースが第２伝送方向に対応することを決定することと、
前記端末は前記目標リソースの方向を前記第１伝送方向として決定し、前記第１伝送方向に基づいてネットワーク装置とデータ伝送を行うことと、を含む伝送方向の決定方法。
【請求項２】
前記第２構成シグナリングは半静的アップリンク／ダウンリンク構成シグナリング、動的スケジューリングシグナリング又はＵＥ専用のＲＲＣシグナリングである請求項１に記載の方法。
【請求項３】
前記半静的アップリンク／ダウンリンク構成シグナリングはＲＲＣシグナリング又はシステム情報（ＳＩ）である請求項２に記載の方法。
【請求項４】
前記動的スケジューリングシグナリングはダウンリンク制御情報（ＤＣＩ）及び／又は媒体アクセス制御（ＭＡＣ）制御要素（ＣＥ）である請求項２に記載の方法。
【請求項５】
前記第１構成シグナリングに基づいて目標リソースが第１伝送方向に対応することを決定することは、
前記セル専用のＲＲＣシグナリングに基づいて、目標リソースがアップリンク伝送方向に対応することを決定することを含み、
前記第２構成シグナリングに基づいて前記目標リソースが第２伝送方向に対応することを決定することは、
前記半静的アップリンク／ダウンリンク構成シグナリングに基づいて、目標リソースがダウンリンク伝送方向及び／又はフレキシブル伝送方向に対応することを決定することを含む請求項２に記載の方法。
【請求項６】
前記第１構成シグナリングに基づいて目標リソースが第１伝送方向に対応することを決定することは、
前記セル専用のＲＲＣシグナリングに基づいて、目標リソースがダウンリンク伝送方向に対応することを決定することを含み、
前記第２構成シグナリングに基づいて前記目標リソースが第２伝送方向に対応することを決定することは、
前記半静的アップリンク／ダウンリンク構成シグナリングに基づいて、目標リソースがアップリンク伝送方向及び／又はフレキシブル伝送方向に対応することを決定することを含む請求項２に記載の方法。
【請求項７】
前記第１構成シグナリングに基づいて目標リソースが第１伝送方向に対応することを決定することは、
前記セル専用のＲＲＣシグナリングに基づいて、目標リソースがアップリンク伝送方向に対応することを決定することを含み、
前記第２構成シグナリングに基づいて前記目標リソースが第２伝送方向に対応することを決定することは、
前記動的スケジューリングシグナリングに基づいて、目標リソースがダウンリンク伝送方向に対応することを決定することを含む請求項２に記載の方法。
【請求項８】
前記第１構成シグナリングに基づいて目標リソースが第１伝送方向に対応することを決定することは、
前記セル専用のＲＲＣシグナリングに基づいて、目標リソースがダウンリンク伝送方向に対応することを決定することを含み、
前記第２構成シグナリングに基づいて前記目標リソースが第２伝送方向に対応することを決定することは、
前記動的スケジューリングシグナリングに基づいて、目標リソースがアップリンク伝送方向に対応することを決定することを含む請求項２に記載の方法。
【請求項９】
前記第１構成シグナリングに基づいて目標リソースが第１伝送方向に対応することを決定することは、
前記セル専用のＲＲＣシグナリングに基づいて、目標リソースがアップリンク伝送方向に対応することを決定することを含み、
前記第２構成シグナリングに基づいて前記目標リソースが第２伝送方向に対応することを決定することは、
前記ＵＥ専用のＲＲＣシグナリングに基づいて、目標リソースがダウンリンク伝送方向に対応することを決定することを含む請求項２に記載の方法。
【請求項１０】
前記第１構成シグナリングに基づいて目標リソースが第１伝送方向に対応することを決定することは、
前記セル専用のＲＲＣシグナリングに基づいて、目標リソースがダウンリンク伝送方向に対応することを決定することを含み、
前記第２構成シグナリングに基づいて前記目標リソースが第２伝送方向に対応することを決定することは、
前記ＵＥ専用のＲＲＣシグナリングに基づいて、目標リソースがアップリンク伝送方向に対応することを決定することを含む請求項２に記載の方法。
【請求項１１】
前記端末が前記目標リソースの方向を前記第１伝送方向として決定し、前記第１伝送方向に基づいてネットワーク装置とデータ伝送を行うことは、
前記端末が前記目標リソースの方向をアップリンク伝送方向として決定し、前記目標リソースにおいてアップリンクデータを送信することを含む請求項５、７又は９に記載の方法。
【請求項１２】
前記端末が前記目標リソースの方向を前記第１伝送方向として決定し、前記第１伝送方向に基づいてネットワーク装置とデータ伝送を行うことは、
前記端末が前記目標リソースの方向をダウンリンク伝送方向として決定し、前記目標リソースにおいてダウンリンクデータを受信することを含む請求項６、８又は１０に記載の方法。
【請求項１３】
前記目標リソースは１つ又は複数のシンボルを含む請求項１〜１２のいずれか１項に記載の方法。
【請求項１４】
伝送方向の決定方法であって、
ネットワーク装置は、目標リソースが第１伝送方向に対応することを示すための第１構成シグナリングを構成して送信し、前記第１構成シグナリングがセル専用のＲＲＣシグナリングであることと、
前記ネットワーク装置は、前記目標リソースが第２伝送方向に対応することを示すための第２構成シグナリングを構成して送信することと、
前記ネットワーク装置は、前記第１伝送方向に基づいて端末とデータ伝送を行うことと、を含む伝送方向の決定方法。
【請求項１５】
前記第２構成シグナリングは半静的アップリンク／ダウンリンク構成シグナリング、動的スケジューリングシグナリング又はＵＥ専用のＲＲＣシグナリングである請求項１４に記載の方法。
【請求項１６】
前記半静的アップリンク／ダウンリンク構成シグナリングはＲＲＣシグナリング又はＳＩである請求項１５に記載の方法。
【請求項１７】
前記動的スケジューリングシグナリングはＤＣＩ及び／又はＭＡＣ  ＣＥである請求項１５に記載の方法。
【請求項１８】
前記第２構成シグナリングが半静的アップリンク／ダウンリンク構成シグナリングである場合、ネットワーク装置が第２構成シグナリングを構成することは、
前記ネットワーク装置が前記第１構成シグナリングに基づいて前記第２構成シグナリングを構成することを含み、
前記第１構成シグナリングに構成されたデータがアップリンクデータである場合、前記第２構成シグナリングにおける前記アップリンクデータに対応する目標リソースにおいて、伝送方向をアップリンク伝送方向又はフレキシブル伝送方向として構成し、前記第１構成シグナリングに構成されたデータがダウンリンクデータである場合、前記第２構成シグナリングにおける前記ダウンリンクデータに対応する目標リソースにおいて、伝送方向をダウンリンク伝送方向又はフレキシブル伝送方向として構成する請求項１５に記載の方法。
【請求項１９】
前記目標リソースは１つ又は複数のシンボルを含む請求項１４〜１８のいずれか１項に記載の方法。
【請求項２０】
伝送方向の決定装置であって、
第１構成シグナリングを受信するように構成される第１受信ユニットと、
セル専用のＲＲＣシグナリングである前記第１構成シグナリングに基づいて、目標リソースが第１伝送方向に対応することを決定するように構成される第１決定ユニットと、
第２構成シグナリングを受信するように構成される第２受信ユニットと、
前記第２構成シグナリングに基づいて、前記目標リソースが第２伝送方向に対応することを決定するように構成される第２決定ユニットと、
前記目標リソースの方向を前記第１伝送方向として決定するように構成される第３決定ユニットと、
前記第１伝送方向に基づいてネットワーク装置とデータ伝送を行うように構成される伝送ユニットと、を備える伝送方向の決定装置。
【請求項２１】
前記第２構成シグナリングは半静的アップリンク／ダウンリンク構成シグナリング、動的スケジューリングシグナリング又はＵＥ専用のＲＲＣシグナリングである請求項２０に記載の装置。
【請求項２２】
前記半静的アップリンク／ダウンリンク構成シグナリングはＲＲＣシグナリング又はＳＩである請求項２１に記載の装置。
【請求項２３】
前記動的スケジューリングシグナリングはＤＣＩ及び／又はＭＡＣ  ＣＥである請求項２１に記載の装置。
【請求項２４】
前記第１決定ユニットは、前記セル専用のＲＲＣシグナリングに基づいて、目標リソースがアップリンク伝送方向に対応することを決定するように構成され、
前記第２決定ユニットは、前記半静的アップリンク／ダウンリンク構成シグナリングに基づいて、目標リソースがダウンリンク伝送方向及び／又はフレキシブル伝送方向に対応することを決定するように構成される請求項２１に記載の装置。
【請求項２５】
前記第１決定ユニットは、前記セル専用のＲＲＣシグナリングに基づいて、目標リソースがダウンリンク伝送方向に対応することを決定するように構成され、
前記第２決定ユニットは、前記半静的アップリンク／ダウンリンク構成シグナリングに基づいて、目標リソースがアップリンク伝送方向及び／又はフレキシブル伝送方向に対応することを決定するように構成される請求項２１に記載の装置。
【請求項２６】
前記第１決定ユニットは、前記セル専用のＲＲＣシグナリングに基づいて、目標リソースがアップリンク伝送方向に対応することを決定するように構成され、
前記第２決定ユニットは、前記動的スケジューリングシグナリングに基づいて、目標リソースがダウンリンク伝送方向に対応することを決定するように構成される請求項２１に記載の装置。
【請求項２７】
前記第１決定ユニットは、前記セル専用のＲＲＣシグナリングに基づいて、目標リソースがダウンリンク伝送方向に対応することを決定するように構成され、
前記第２決定ユニットは、前記動的スケジューリングシグナリングに基づいて、目標リソースがアップリンク伝送方向に対応することを決定するように構成される請求項２１に記載の装置。
【請求項２８】
前記第１決定ユニットは、前記セル専用のＲＲＣシグナリングに基づいて、目標リソースがアップリンク伝送方向に対応することを決定するように構成され、
前記第２決定ユニットは、前記ＵＥ専用のＲＲＣシグナリングに基づいて、目標リソースがダウンリンク伝送方向に対応することを決定するように構成される請求項２１に記載の装置。
【請求項２９】
前記第１決定ユニットは、前記セル専用のＲＲＣシグナリングに基づいて、目標リソースがダウンリンク伝送方向に対応することを決定するように構成され、
前記第２決定ユニットは、前記ＵＥ専用のＲＲＣシグナリングに基づいて、目標リソースがアップリンク伝送方向に対応することを決定するように構成される請求項２１に記載の装置。
【請求項３０】
前記第３決定ユニットは、前記目標リソースの方向をアップリンク伝送方向として決定するように構成され、
前記伝送ユニットは、前記目標リソースにおいてアップリンクデータを送信するように構成される請求項２４、２６又は２８に記載の装置。
【請求項３１】
前記第３決定ユニットは、前記目標リソースの方向をダウンリンク伝送方向として決定するように構成され、
前記伝送ユニットは、前記目標リソースにおいてダウンリンクデータを受信するように構成される請求項２５、２７又は２９に記載の装置。
【請求項３２】
前記目標リソースは１つ又は複数のシンボルを含む請求項２０〜３１のいずれか１項に記載の装置。
【請求項３３】
伝送方向の決定装置であって、
目標リソースが第１伝送方向に対応することを示すための第１構成シグナリングを構成して送信するように構成され、前記第１構成シグナリングがセル専用のＲＲＣシグナリングである第１構成ユニットと、
前記目標リソースが第２伝送方向に対応することを示すための第２構成シグナリングを構成して送信するように構成される第２構成ユニットと、
前記第１伝送方向に基づいて端末とデータ伝送を行うように構成される伝送ユニットと、を備える伝送方向の決定装置。
【請求項３４】
前記第２構成シグナリングは半静的アップリンク／ダウンリンク構成シグナリング、動的スケジューリングシグナリング又はＵＥ専用のＲＲＣシグナリングである請求項３３に記載の装置。
【請求項３５】
前記半静的アップリンク／ダウンリンク構成シグナリングはＲＲＣシグナリング又はＳＩである請求項３４に記載の装置。
【請求項３６】
前記動的スケジューリングシグナリングはＤＣＩ及び／又はＭＡＣ  ＣＥである請求項３４に記載の装置。
【請求項３７】
前記第２構成シグナリングが半静的アップリンク／ダウンリンク構成シグナリングである場合、前記第２構成ユニットは前記第１構成シグナリングに基づいて前記第２構成シグナリングを構成するように構成され、
前記第１構成シグナリングに構成されたデータがアップリンクデータである場合、前記第２構成シグナリングにおける前記アップリンクデータに対応する目標リソースにおいて、伝送方向をアップリンク伝送方向又はフレキシブル伝送方向として構成し、前記第１構成シグナリングに構成されたデータがダウンリンクデータである場合、前記第２構成シグナリングにおける前記ダウンリンクデータに対応する目標リソースにおいて、伝送方向をダウンリンク伝送方向又はフレキシブル伝送方向として構成する請求項３４に記載の装置。
【請求項３８】
前記目標リソースは１つ又は複数のシンボルを含む請求項３３〜３７のいずれか１項に記載の装置。
【請求項３９】
伝送チャネルの決定方法であって、
端末は、目標リソースにおいて第１チャネルを伝送することを決定するための第１構成シグナリングを受信し、前記第１構成シグナリングがセル専用のＲＲＣシグナリングであることと、
前記端末は、前記目標リソースにおいて第２チャネルを伝送することを決定するための第２構成シグナリングを受信し、前記第１チャネルに対応する伝送方向と前記第２チャネルに対応する伝送方向が異なることと、
前記端末は、前記目標リソースにおいて第１チャネルを伝送することと、を含む伝送チャネルの決定方法。
【請求項４０】
前記第２構成シグナリングは半静的アップリンク／ダウンリンク構成シグナリング、動的スケジューリングシグナリング又はＵＥ専用のＲＲＣシグナリングである請求項３９に記載の方法。
【請求項４１】
前記半静的アップリンク／ダウンリンク構成シグナリングはＲＲＣシグナリング又はＳＩである請求項４０に記載の方法。
【請求項４２】
前記動的スケジューリングシグナリングはＤＣＩ及び／又はＭＡＣ  ＣＥである請求項４０に記載の方法。
【請求項４３】
目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む請求項３９〜４２のいずれか１項に記載の方法。
【請求項４４】
前記目標リソースにおいて第２チャネルを伝送することは、
前記第２チャネルに対応する伝送方向がダウンリンク方向である場合、前記端末が前記目標リソースにおいて前記第２チャネルを受信すること、又は、
前記第２チャネルに対応する伝送方向がアップリンク方向である場合、前記端末が前記目標リソースにおいて前記第２チャネルを送信することを含む請求項３９〜４３のいずれか１項に記載の方法。
【請求項４５】
前記端末が前記目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む請求項３９〜４４のいずれか１項に記載の方法。
【請求項４６】
前記目標リソースは１つ又は複数の時間領域シンボルを含む請求項３９〜４５のいずれか１項に記載の方法。
【請求項４７】
伝送チャネルの決定方法であって、
ネットワーク装置は、目標リソースにおいて第１チャネルを伝送することを決定するための第１構成シグナリングを端末に送信し、前記第１構成シグナリングがセル専用のＲＲＣシグナリングであることと、
前記ネットワーク装置は、前記目標リソースにおいて第２チャネルを伝送することを決定するための第２構成シグナリングを前記端末に送信し、前記第１チャネルに対応する伝送方向と前記第２チャネルに対応する伝送方向が異なることと、
前記ネットワーク装置は、前記目標リソースにおいて第１チャネルを伝送することと、を含む伝送チャネルの決定方法。
【請求項４８】
前記第２構成シグナリングは半静的アップリンク／ダウンリンク構成シグナリング、動的スケジューリングシグナリング又はＵＥ専用のＲＲＣシグナリングである請求項４７に記載の方法。
【請求項４９】
前記半静的アップリンク／ダウンリンク構成シグナリングはＲＲＣシグナリング又はＳＩである請求項４８に記載の方法。
【請求項５０】
前記動的スケジューリングシグナリングはＤＣＩ及び／又はＭＡＣ  ＣＥである請求項４８に記載の方法。
【請求項５１】
前記目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む請求項４７〜５０のいずれか１項に記載の方法。
【請求項５２】
前記目標リソースにおいて第２チャネルを伝送することは、
前記第２チャネルに対応する伝送方向がダウンリンク方向である場合、前記ネットワーク装置が前記目標リソースにおいて前記第２チャネルを送信すること、又は、
前記第２チャネルに対応する伝送方向がアップリンク方向である場合、前記ネットワーク装置が前記目標リソースにおいて前記第２チャネルを受信することを含む請求項４７〜５１のいずれか１項に記載の方法。
【請求項５３】
前記ネットワーク装置が前記目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む請求項４７〜５２のいずれか１項に記載の方法。
【請求項５４】
前記目標リソースは１つ又は複数の時間領域シンボルを含む請求項４７〜５３のいずれか１項に記載の方法。
【請求項５５】
伝送チャネルの決定装置であって、
目標リソースにおいて第１チャネルを伝送することを決定するための第１構成シグナリングを受信することに用いられ、前記第１構成シグナリングがセル専用のＲＲＣシグナリングである第１決定ユニットと、
前記目標リソースにおいて第２チャネルを伝送することを決定するための第２構成シグナリングを受信することに用いられ、前記第１チャネルに対応する伝送方向と前記第２チャネルに対応する伝送方向が異なる第２決定ユニットと、
前記目標リソースにおいて第１チャネルを伝送することに用いられる伝送ユニットと、を備える伝送チャネルの決定装置。
【請求項５６】
前記第２構成シグナリングは半静的アップリンク／ダウンリンク構成シグナリング、動的スケジューリングシグナリング又はＵＥ専用のＲＲＣシグナリングである請求項５５に記載の装置。
【請求項５７】
前記半静的アップリンク／ダウンリンク構成シグナリングはＲＲＣシグナリング又はＳＩである請求項５６に記載の装置。
【請求項５８】
前記動的スケジューリングシグナリングはＤＣＩ及び／又はＭＡＣ  ＣＥである請求項５６に記載の装置。
【請求項５９】
前記目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む請求項５５〜５８のいずれか１項に記載の装置。
【請求項６０】
前記目標リソースにおいて第２チャネルを伝送することは、
前記第２チャネルに対応する伝送方向がダウンリンク方向である場合、前記端末が前記目標リソースにおいて前記第２チャネルを受信すること、又は、
前記第２チャネルに対応する伝送方向がアップリンク方向である場合、前記端末が前記目標リソースにおいて前記第２チャネルを送信することを含む請求項５５〜５９のいずれか１項に記載の装置。
【請求項６１】
前記第１チャネルに対応する伝送方向がダウンリンク方向である場合、前記伝送ユニットが前記目標リソースにおいて前記第１チャネルを受信し、又は、
前記第１チャネルに対応する伝送方向がアップリンク方向である場合、前記伝送ユニットが前記目標リソースにおいて前記第１チャネルを送信する請求項５５〜６０のいずれか１項に記載の装置。
【請求項６２】
前記目標リソースは１つ又は複数の時間領域シンボルを含む請求項５５〜６１のいずれか１項に記載の装置。
【請求項６３】
伝送チャネルの決定装置であって、
目標リソースにおいて第１チャネルを伝送することを決定するための第１構成シグナリングを端末に送信することに用いられ、前記第１構成シグナリングがセル専用のＲＲＣシグナリングである第１送信ユニットと、
前記目標リソースにおいて第２チャネルを伝送することを決定するための第２構成シグナリングを前記端末に送信することに用いられ、前記第１チャネルに対応する伝送方向と前記第２チャネルに対応する伝送方向が異なる第２送信ユニットと、
前記目標リソースにおいて第１チャネルを伝送することに用いられる伝送ユニットと、を備える伝送チャネルの決定装置。
【請求項６４】
前記第２構成シグナリングは半静的アップリンク／ダウンリンク構成シグナリング、動的スケジューリングシグナリング又はＵＥ専用のＲＲＣシグナリングである請求項６３に記載の装置。
【請求項６５】
前記半静的アップリンク／ダウンリンク構成シグナリングはＲＲＣシグナリング又はＳＩである請求項６４に記載の装置。
【請求項６６】
前記動的スケジューリングシグナリングはＤＣＩ及び／又はＭＡＣ  ＣＥである請求項６４に記載の装置。
【請求項６７】
前記目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む請求項６３〜６６のいずれか１項に記載の装置。
【請求項６８】
前記目標リソースにおいて第２チャネルを伝送することは、
前記第２チャネルに対応する伝送方向がダウンリンク方向である場合、前記ネットワーク装置が前記目標リソースにおいて前記第２チャネルを送信すること、又は、
前記第２チャネルに対応する伝送方向がアップリンク方向である場合、前記ネットワーク装置が前記目標リソースにおいて前記第２チャネルを受信することを含む請求項６３〜６７のいずれか１項に記載の装置。
【請求項６９】
前記第１チャネルに対応する伝送方向がダウンリンク方向である場合、前記伝送ユニットが前記目標リソースにおいて前記第１チャネルを送信し、又は、
前記第１チャネルに対応する伝送方向がアップリンク方向である場合、前記伝送ユニットが前記目標リソースにおいて前記第１チャネルを受信する請求項６３〜６８のいずれか１項に記載の装置。
【請求項７０】
前記目標リソースは１つ又は複数の時間領域シンボルを含む請求項６３〜６９のいずれか１項に記載の装置。
【請求項７１】
コンピュータ記憶媒体であって、コンピュータ実行可能命令が記憶され、該コンピュータ実行可能命令がプロセッサにより実行されるとき、請求項１〜１３のいずれか１項に記載の方法のステップ、請求項１４〜１９のいずれか１項に記載の方法のステップ、請求項３９〜４６のいずれか１項に記載の方法のステップ、又は請求項４７〜５４のいずれか１項に記載の方法のステップを実現するコンピュータ記憶媒体。
【発明の詳細な説明】
【技術分野】
【０００１】
本願は無線通信技術分野に関し、特に伝送方向及び伝送チャネルの決定方法及び装置、コンピュータ記憶媒体に関する。
【背景技術】
【０００２】
新無線（ＮＲ、Ｎｅｗ  Ｒａｄｉｏ）システムにおいて、スロット又はシンボルをスケジューリング単位とし、各スロットは１４個の直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む。ＮＲシステムのフレーム構造は柔軟に変化するが、１つのスロットにはダウンリンク（ＤＬ、Ｄｏｗｎ  Ｌｉｎｋ）シンボル、アップリンク（ＵＬ、Ｕｐ  Ｌｉｎｋ）シンボル及びフレキシブルシンボル（ｆｌｅｘｉｂｌｅ  ｓｙｍｂｏｌ）があってもよく、フレキシブルシンボルが未知のシンボル（ｕｎｋｎｏｗｎ  ｓｙｍｂｏｌ）とも称され、フレキシブルシンボルがシグナリングの書き替えによってＤＬ伝送又はＵＬ伝送に使用されてもよい。
【０００３】
ＮＲシステムにおいて、基地局は様々な方式でスロットにおけるあるシンボルの伝送方向を明示的又は暗示的に示してもよいが、異なる構成シグナリングで示す伝送方向（又は伝送チャネル）が異なる可能性があり、セル専用（ｃｅｌｌ−ｓｐｅｃｉｆｉｃ）の無線リソース制御（ＲＲＣ、Ｒａｄｉｏ  Ｒｅｓｏｕｒｃｅ  Ｃｏｎｔｒｏｌ）シグナリングに構成された伝送方向（又は伝送チャネル）が他のタイプの構成シグナリングで示す伝送方向（又は伝送チャネル）と異なる場合、どのように伝送方向（又は伝送チャネル）を決定するかは解決の待たれる問題である。
【発明の概要】
【発明が解決しようとする課題】
【０００４】
本願の実施例は伝送方向及び伝送チャネルの決定方法及び装置、コンピュータ記憶媒体を提供する。
【課題を解決するための手段】
【０００５】
本願の実施例に係る伝送方向の決定方法は、
端末はセル専用のＲＲＣシグナリングである第１構成シグナリングを受信し、前記第１構成シグナリングに基づいて目標リソースが第１伝送方向に対応することを決定することと、
前記端末は第２構成シグナリングを受信し、前記第２構成シグナリングに基づいて前記目標リソースが第２伝送方向に対応することを決定することと、
前記端末は前記目標リソースの方向を前記第１伝送方向として決定し、前記第１伝送方向に基づいてネットワーク装置とデータ伝送を行うことと、を含む。
【０００６】
本願の実施例では、前記第２構成シグナリングは半静的アップリンク／ダウンリンク構成シグナリング、動的スケジューリングシグナリング又はＵＥ専用（ＵＥ−ｓｐｅｃｉｆｉｃ、Ｕｓｅｒ  Ｅｑｕｉｐｍｅｎｔ−ｓｐｅｃｉｆｉｃ）のＲＲＣシグナリングである。
【０００７】
本願の実施例では、前記半静的アップリンク／ダウンリンク構成シグナリングはＲＲＣシグナリング又はシステム情報（ＳＩ、Ｓｙｓｔｅｍ  Ｉｎｆｏｒｍａｔｉｏｎ）である。
【０００８】
本願の実施例では、前記動的スケジューリングシグナリングはダウンリンク制御情報（ＤＣＩ、Ｄｏｗｎｌｉｎｋ  Ｃｏｎｔｒｏｌ  Ｉｎｆｏｒｍａｔｉｏｎ）及び／又は媒体アクセス制御（ＭＡＣ、ＭｅｄｉａＡｃｃｅｓｓＣｏｎｔｒｏｌ）制御要素（ＣＥ、Ｃｏｎｔｒｏｌ  Ｅｌｅｍｅｎｔ）である。
【０００９】
本願の実施例では、前記第１構成シグナリングに基づいて目標リソースが第１伝送方向に対応することを決定することは、
前記セル専用のＲＲＣシグナリングに基づいて目標リソースがアップリンク伝送方向に対応することを決定することを含み、
前記第２構成シグナリングに基づいて前記目標リソースが第２伝送方向に対応することを決定することは、
前記半静的アップリンク／ダウンリンク構成シグナリングに基づいて目標リソースがダウンリンク伝送方向及び／又はフレキシブル伝送方向に対応することを決定することを含む。
【００１０】
本願の実施例では、前記第１構成シグナリングに基づいて目標リソースが第１伝送方向に対応することを決定することは、
前記セル専用のＲＲＣシグナリングに基づいて目標リソースがダウンリンク伝送方向に対応することを決定することを含み、
前記第２構成シグナリングに基づいて前記目標リソースが第２伝送方向に対応することを決定することは、
前記半静的アップリンク／ダウンリンク構成シグナリングに基づいて目標リソースがアップリンク伝送方向及び／又はフレキシブル伝送方向に対応することを決定することを含む。
【００１１】
本願の実施例では、前記第１構成シグナリングに基づいて目標リソースが第１伝送方向に対応することを決定することは、
前記セル専用のＲＲＣシグナリングに基づいて目標リソースがアップリンク伝送方向に対応することを決定することを含み、
前記第２構成シグナリングに基づいて前記目標リソースが第２伝送方向に対応することを決定することは、
前記動的スケジューリングシグナリングに基づいて目標リソースがダウンリンク伝送方向に対応することを決定することを含む。
【００１２】
本願の実施例では、前記第１構成シグナリングに基づいて目標リソースが第１伝送方向に対応することを決定することは、
前記セル専用のＲＲＣシグナリングに基づいて目標リソースがダウンリンク伝送方向に対応することを決定することを含み、
前記第２構成シグナリングに基づいて前記目標リソースが第２伝送方向に対応することを決定することは、
前記動的スケジューリングシグナリングに基づいて目標リソースがアップリンク伝送方向に対応することを決定することを含む。
【００１３】
本願の実施例では、前記第１構成シグナリングに基づいて目標リソースが第１伝送方向に対応することを決定することは、
前記セル専用のＲＲＣシグナリングに基づいて目標リソースがアップリンク伝送方向に対応することを決定することを含み、
前記第２構成シグナリングに基づいて前記目標リソースが第２伝送方向に対応することを決定することは、
前記ＵＥ専用のＲＲＣシグナリングに基づいて目標リソースがダウンリンク伝送方向に対応することを決定することを含む。
【００１４】
本願の実施例では、前記第１構成シグナリングに基づいて目標リソースが第１伝送方向に対応することを決定することは、
前記セル専用のＲＲＣシグナリングに基づいて目標リソースがダウンリンク伝送方向に対応することを決定することを含み、
前記第２構成シグナリングに基づいて前記目標リソースが第２伝送方向に対応することを決定することは、
前記ＵＥ専用のＲＲＣシグナリングに基づいて目標リソースがアップリンク伝送方向に対応することを決定することを含む。
【００１５】
本願の実施例では、前記端末が前記目標リソースの方向を前記第１伝送方向として決定し、前記第１伝送方向に基づいてネットワーク装置とデータ伝送を行うことは、
前記端末が前記目標リソースの方向をアップリンク伝送方向として決定し、前記目標リソースにおいてアップリンクデータを送信することを含む。
【００１６】
本願の実施例では、前記端末が前記目標リソースの方向を前記第１伝送方向として決定し、前記第１伝送方向に基づいてネットワーク装置とデータ伝送を行うことは、
前記端末が前記目標リソースの方向をダウンリンク伝送方向として決定し、前記目標リソースにおいてダウンリンクデータを受信することを含む。
【００１７】
本願の実施例では、前記目標リソースは１つ又は複数のシンボルを含む。
【００１８】
本願の実施例に係る伝送方向の決定方法は、
ネットワーク装置は目標リソースが第１伝送方向に対応することを示すための第１構成シグナリングを構成して送信し、前記第１構成シグナリングがセル専用のＲＲＣシグナリングであることと、
前記ネットワーク装置は前記目標リソースが第２伝送方向に対応することを示すための第２構成シグナリングを構成して送信することと、
前記ネットワーク装置が前記第１伝送方向に基づいて端末とデータ伝送を行うことと、を含む。
【００１９】
本願の実施例では、前記第２構成シグナリングは半静的アップリンク／ダウンリンク構成シグナリング、動的スケジューリングシグナリング又はＵＥ専用のＲＲＣシグナリングである。
【００２０】
本願の実施例では、前記半静的アップリンク／ダウンリンク構成シグナリングはＲＲＣシグナリング又はＳＩである。
【００２１】
本願の実施例では、前記動的スケジューリングシグナリングはＤＣＩ及び／又はＭＡＣ  ＣＥである。
【００２２】
本願の実施例では、前記第２構成シグナリングが半静的アップリンク／ダウンリンク構成シグナリングである場合、ネットワーク装置が第２構成シグナリングを構成することは、
前記ネットワーク装置が前記第１構成シグナリングに基づいて前記第２構成シグナリングを構成することを含み、
前記第１構成シグナリングに構成されたデータがアップリンクデータである場合、前記第２構成シグナリングにおける前記アップリンクデータに対応する目標リソースにおいて、伝送方向をアップリンク伝送方向又はフレキシブル伝送方向として構成し、前記第１構成シグナリングに構成されたデータがダウンリンクデータである場合、前記第２構成シグナリングにおける前記ダウンリンクデータに対応する目標リソースにおいて、伝送方向をダウンリンク伝送方向又はフレキシブル伝送方向として構成する。
【００２３】
本願の実施例では、前記目標リソースは１つ又は複数のシンボルを含む。
【００２４】
本願の実施例に係る伝送方向の決定装置は、
第１構成シグナリングを受信するように構成される第１受信ユニットと、
セル専用のＲＲＣシグナリングである前記第１構成シグナリングに基づいて目標リソースが第１伝送方向に対応することを決定するように構成される第１決定ユニットと、
第２構成シグナリングを受信するように構成される第２受信ユニットと、
前記第２構成シグナリングに基づいて前記目標リソースが第２伝送方向に対応することを決定するように構成される第２決定ユニットと、
前記目標リソースの方向を前記第１伝送方向として決定するように構成される第３決定ユニットと、
前記第１伝送方向に基づいてネットワーク装置とデータ伝送を行うように構成される伝送ユニットと、を備える。
【００２５】
本願の実施例では、前記第２構成シグナリングは半静的アップリンク／ダウンリンク構成シグナリング、動的スケジューリングシグナリング又はＵＥ専用のＲＲＣシグナリングである。
【００２６】
本願の実施例では、前記半静的アップリンク／ダウンリンク構成シグナリングはＲＲＣシグナリング又はＳＩである。
【００２７】
本願の実施例では、前記動的スケジューリングシグナリングはＤＣＩ及び／又はＭＡＣ  ＣＥである。
【００２８】
本願の実施例では、前記第１決定ユニットは前記セル専用のＲＲＣシグナリングに基づいて目標リソースがアップリンク伝送方向に対応することを決定するように構成され、
前記第２決定ユニットは前記半静的アップリンク／ダウンリンク構成シグナリングに基づいて目標リソースがダウンリンク伝送方向及び／又はフレキシブル伝送方向に対応することを決定するように構成される。
【００２９】
本願の実施例では、前記第１決定ユニットは前記セル専用のＲＲＣシグナリングに基づいて目標リソースがダウンリンク伝送方向に対応することを決定するように構成され、
前記第２決定ユニットは前記半静的アップリンク／ダウンリンク構成シグナリングに基づいて目標リソースがアップリンク伝送方向及び／又はフレキシブル伝送方向に対応することを決定するように構成される。
【００３０】
本願の実施例では、前記第１決定ユニットは前記セル専用のＲＲＣシグナリングに基づいて目標リソースがアップリンク伝送方向に対応することを決定するように構成され、
前記第２決定ユニットは前記動的スケジューリングシグナリングに基づいて目標リソースがダウンリンク伝送方向に対応することを決定するように構成される。
【００３１】
本願の実施例では、前記第１決定ユニットは前記セル専用のＲＲＣシグナリングに基づいて目標リソースがダウンリンク伝送方向に対応することを決定するように構成され、
前記第２決定ユニットは前記動的スケジューリングシグナリングに基づいて目標リソースがアップリンク伝送方向に対応することを決定するように構成される。
【００３２】
本願の実施例では、前記第１決定ユニットは前記セル専用のＲＲＣシグナリングに基づいて目標リソースがアップリンク伝送方向に対応することを決定するように構成され、
前記第２決定ユニットは前記ＵＥ専用のＲＲＣシグナリングに基づいて目標リソースがダウンリンク伝送方向に対応することを決定するように構成される。
【００３３】
本願の実施例では、前記第１決定ユニットは前記セル専用のＲＲＣシグナリングに基づいて目標リソースがダウンリンク伝送方向に対応することを決定するように構成され、
前記第２決定ユニットは前記ＵＥ専用のＲＲＣシグナリングに基づいて目標リソースがアップリンク伝送方向に対応することを決定するように構成される。
【００３４】
本願の実施例では、前記第３決定ユニットは前記目標リソースの方向をアップリンク伝送方向として決定するように構成され、
前記伝送ユニットは前記目標リソースにおいてアップリンクデータを送信するように構成される。
【００３５】
本願の実施例では、前記第３決定ユニットは前記目標リソースの方向をダウンリンク伝送方向として決定するように構成され、
前記伝送ユニットは前記目標リソースにおいてダウンリンクデータを受信するように構成される。
【００３６】
本願の実施例では、前記目標リソースは１つ又は複数のシンボルを含む。
【００３７】
本願の実施例に係る伝送方向の決定装置は、
目標リソースが第１伝送方向に対応することを示すための第１構成シグナリングを構成して送信するように構成され、前記第１構成シグナリングがセル専用のＲＲＣシグナリングである第１構成ユニットと、
前記目標リソースが第２伝送方向に対応することを示すための第２構成シグナリングを構成して送信するように構成される第２構成ユニットと、
前記第１伝送方向に基づいて端末とデータ伝送を行うように構成される伝送ユニットと、を備える。
【００３８】
本願の実施例では、前記第２構成シグナリングは半静的アップリンク／ダウンリンク構成シグナリング、動的スケジューリングシグナリング又はＵＥ専用のＲＲＣシグナリングである。
【００３９】
本願の実施例では、前記半静的アップリンク／ダウンリンク構成シグナリングはＲＲＣシグナリング又はＳＩである。
【００４０】
本願の実施例では、前記動的スケジューリングシグナリングはＤＣＩ及び／又はＭＡＣ  ＣＥである。
【００４１】
本願の実施例では、前記第２構成シグナリングが半静的アップリンク／ダウンリンク構成シグナリングである場合、前記第２構成ユニットは前記第１構成シグナリングに基づいて前記第２構成シグナリングを構成するように構成され、
前記第１構成シグナリングに構成されたデータがアップリンクデータである場合、前記第２構成シグナリングにおける前記アップリンクデータに対応する目標リソースにおいて、伝送方向をアップリンク伝送方向又はフレキシブル伝送方向として構成し、前記第１構成シグナリングに構成されたデータがダウンリンクデータである場合、前記第２構成シグナリングにおける前記ダウンリンクデータに対応する目標リソースにおいて、伝送方向をダウンリンク伝送方向又はフレキシブル伝送方向として構成する。
【００４２】
本願の実施例では、前記目標リソースは１つ又は複数のシンボルを含む。
【００４３】
本願の実施例に係る伝送チャネルの決定方法は、
端末は目標リソースにおいて第１チャネルを伝送することを決定するための第１構成シグナリングを受信し、前記第１構成シグナリングがセル専用のＲＲＣシグナリングであることと、
前記端末が前記目標リソースにおいて第２チャネルを伝送することを決定するための第２構成シグナリングを受信し、前記第１チャネルに対応する伝送方向と前記第２チャネルに対応する伝送方向が異なることと、
前記端末が前記目標リソースにおいて第１チャネルを伝送することと、を含む。
【００４４】
本願の実施例では、前記第２構成シグナリングは半静的アップリンク／ダウンリンク構成シグナリング、動的スケジューリングシグナリング又はＵＥ専用のＲＲＣシグナリングである。
【００４５】
本願の実施例では、前記半静的アップリンク／ダウンリンク構成シグナリングはＲＲＣシグナリング又はＳＩである。
【００４６】
本願の実施例では、前記動的スケジューリングシグナリングはＤＣＩ及び／又はＭＡＣ  ＣＥである。
【００４７】
本願の実施例では、目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む。
【００４８】
本願の実施例では、前記目標リソースにおいて第２チャネルを伝送することは、
前記第２チャネルに対応する伝送方向がダウンリンク方向である場合、前記端末が前記目標リソースにおいて前記第２チャネルを受信すること、又は、
前記第２チャネルに対応する伝送方向がアップリンク方向である場合、前記端末が前記目標リソースにおいて前記第２チャネルを送信することを含む。
【００４９】
本願の実施例では、前記端末が前記目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む。
【００５０】
本願の実施例では、前記目標リソースは１つ又は複数の時間領域シンボルを含む。
【００５１】
本願の実施例に係る伝送チャネルの決定方法は、
ネットワーク装置は目標リソースにおいて第１チャネルを伝送することを決定するための第１構成シグナリングを端末に送信し、前記第１構成シグナリングがセル専用のＲＲＣシグナリングであることと、
前記ネットワーク装置は前記目標リソースにおいて第２チャネルを伝送することを決定するための第２構成シグナリングを前記端末に送信し、前記第１チャネルに対応する伝送方向と前記第２チャネルに対応する伝送方向が異なることと、
前記ネットワーク装置が前記目標リソースにおいて第１チャネルを伝送することと、を含む。
【００５２】
本願の実施例では、前記第２構成シグナリングは半静的アップリンク／ダウンリンク構成シグナリング、動的スケジューリングシグナリング又はＵＥ専用のＲＲＣシグナリングである。
【００５３】
本願の実施例では、前記半静的アップリンク／ダウンリンク構成シグナリングはＲＲＣシグナリング又はＳＩである。
【００５４】
本願の実施例では、前記動的スケジューリングシグナリングはＤＣＩ及び／又はＭＡＣ  ＣＥである。
【００５５】
本願の実施例では、目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む。
【００５６】
本願の実施例では、前記目標リソースにおいて第２チャネルを伝送することは、
前記第２チャネルに対応する伝送方向がダウンリンク方向である場合、前記ネットワーク装置が前記目標リソースにおいて前記第２チャネルを送信すること、又は、
前記第２チャネルに対応する伝送方向がアップリンク方向である場合、前記ネットワーク装置が前記目標リソースにおいて前記第２チャネルを受信することを含む。
【００５７】
本願の実施例では、前記ネットワーク装置が目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む。
【００５８】
本願の実施例では、前記目標リソースは１つ又は複数の時間領域シンボルを含む。
【００５９】
本願の実施例に係る伝送チャネルの決定装置は、
目標リソースにおいて第１チャネルを伝送することを決定するための第１構成シグナリングを受信することに用いられ、前記第１構成シグナリングがセル専用のＲＲＣシグナリングである第１決定ユニットと、
前記目標リソースにおいて第２チャネルを伝送することを決定するための第２構成シグナリングを受信することに用いられ、前記第１チャネルに対応する伝送方向と前記第２チャネルに対応する伝送方向が異なる第２決定ユニットと、
前記目標リソースにおいて第１チャネルを伝送することに用いられる伝送ユニットと、を備える。
【００６０】
本願の実施例では、前記第２構成シグナリングは半静的アップリンク／ダウンリンク構成シグナリング、動的スケジューリングシグナリング又はＵＥ専用のＲＲＣシグナリングである。
【００６１】
本願の実施例では、前記半静的アップリンク／ダウンリンク構成シグナリングはＲＲＣシグナリング又はＳＩである。
【００６２】
本願の実施例では、前記動的スケジューリングシグナリングはＤＣＩ及び／又はＭＡＣ  ＣＥである。
【００６３】
本願の実施例では、目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む。
【００６４】
本願の実施例では、前記目標リソースにおいて第２チャネルを伝送することは、
前記第２チャネルに対応する伝送方向がダウンリンク方向である場合、前記端末が前記目標リソースにおいて前記第２チャネルを受信すること、又は、
前記第２チャネルに対応する伝送方向がアップリンク方向である場合、前記端末が前記目標リソースにおいて前記第２チャネルを送信することを含む。
【００６５】
本願の実施例では、前記第１チャネルに対応する伝送方向がダウンリンク方向である場合、前記伝送ユニットが前記目標リソースにおいて前記第１チャネルを受信し、又は、
前記第１チャネルに対応する伝送方向がアップリンク方向である場合、前記伝送ユニットが前記目標リソースにおいて前記第１チャネルを送信する。
【００６６】
本願の実施例では、前記目標リソースは１つ又は複数の時間領域シンボルを含む。
【００６７】
本願の実施例に係る伝送チャネルの決定装置は、
目標リソースにおいて第１チャネルを伝送することを決定するための第１構成シグナリングを端末に送信することに用いられ、前記第１構成シグナリングがセル専用のＲＲＣシグナリングである第１送信ユニットと、
前記目標リソースにおいて第２チャネルを伝送することを決定するための第２構成シグナリングを前記端末に送信することに用いられ、前記第１チャネルに対応する伝送方向と前記第２チャネルに対応する伝送方向が異なる第２送信ユニットと、
前記目標リソースにおいて第１チャネルを伝送することに用いられる伝送ユニットと、を備える。
【００６８】
本願の実施例では、前記第２構成シグナリングは半静的アップリンク／ダウンリンク構成シグナリング、動的スケジューリングシグナリング又はＵＥ専用のＲＲＣシグナリングである。
【００６９】
本願の実施例では、前記半静的アップリンク／ダウンリンク構成シグナリングはＲＲＣシグナリング又はＳＩである。
【００７０】
本願の実施例では、前記動的スケジューリングシグナリングはＤＣＩ及び／又はＭＡＣ  ＣＥである。
【００７１】
本願の実施例では、目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む。
【００７２】
本願の実施例では、前記目標リソースにおいて第２チャネルを伝送することは、
前記第２チャネルに対応する伝送方向がダウンリンク方向である場合、前記ネットワーク装置が前記目標リソースにおいて前記第２チャネルを送信すること、又は、
前記第２チャネルに対応する伝送方向がアップリンク方向である場合、前記ネットワーク装置が前記目標リソースにおいて前記第２チャネルを受信することを含む。
【００７３】
本願の実施例では、前記第１チャネルに対応する伝送方向がダウンリンク方向である場合、前記伝送ユニットが前記目標リソースにおいて前記第１チャネルを送信し、又は、
前記第１チャネルに対応する伝送方向がアップリンク方向である場合、前記伝送ユニットが前記目標リソースにおいて前記第１チャネルを受信する。
【００７４】
本願の実施例では、前記目標リソースは１つ又は複数の時間領域シンボルを含む。
【００７５】
本願の実施例に係るコンピュータ記憶媒体には、コンピュータ実行可能命令が記憶され、該コンピュータ実行可能命令がプロセッサにより実行されるとき、上記伝送方向の決定方法を実現する。
【発明の効果】
【００７６】
本願の実施例の技術案では、端末はセル専用のＲＲＣシグナリングである第１構成シグナリングを受信し、前記第１構成シグナリングに基づいて目標リソースが第１伝送方向に対応することを決定し、前記端末は第２構成シグナリングを受信し、前記第２構成シグナリングに基づいて前記目標リソースが第２伝送方向に対応することを決定し、前記端末は前記目標リソースの方向を前記第１伝送方向として決定し、前記第１伝送方向に基づいてネットワーク装置とデータ伝送を行う。本願の実施例の技術案によれば、セル専用のＲＲＣシグナリングに構成されたデータ伝送方向が他のタイプの構成シグナリングで示す伝送方向と異なる場合、端末はセル専用のＲＲＣシグナリングの優先度がより高いことを原則として伝送方向を決定し、それにより端末が異なる伝送方向の２種類の構成シグナリングを受信することによるエラー動作を回避する。
【図面の簡単な説明】
【００７７】
ここで説明される図面は本願を更に理解するためのものであって、本願の一部となり、本願の例示的な実施例及びその説明は本願を解釈するためのものであって、本願を不適切に制限するものではない。
【００７８】
【図１】図１は本願の実施例の伝送方向の決定方法の模式的なフローチャート１である。
【図２】図２は本願の実施例の伝送方向の決定方法の模式的なフローチャート２である。
【図３】図３は本願の実施例の伝送方向の決定装置の構造模式図１である。
【図４】図４は本願の実施例の伝送方向の決定装置の構造模式図２である。
【図５】図５は本願の実施例の伝送チャネルの決定方法の模式的なフローチャート１である。
【図６】図６は本願の実施例の伝送チャネルの決定方法の模式的なフローチャート２である。
【図７】図７は本願の実施例の伝送チャネルの決定装置の構造模式図１である。
【図８】図８は本願の実施例の伝送チャネルの決定装置の構造模式図２である。
【図９】図９は本願の実施例のコンピュータ装置の構造模式図である。
【発明を実施するための形態】
【００７９】
本願の実施例の技術案を理解しやすくするために、以下に本願の実施例に関わる関連の構成シグナリングを説明する。
【００８０】
１）半静的アップリンク／ダウンリンク構成シグナリング
該半静的アップリンク／ダウンリンク構成シグナリングは半静的アップリンク／ダウンリンク構成（ｓｅｍｉ−ｓｔａｔｉｃ  ＵＬ／ＤＬ  ｃｏｎｆｉｇｕｒａｔｉｏｎ）を実現することに用いられる。具体的に、半静的ＲＲＣシグナリングの方式で１つの構成サイクル（例えば、５ｍｓ又は１０ｍｓ）におけるスロットフォーマットを構成し、該スロットフォーマットで１つの構成サイクルにおける各スロットのＵＬシンボル、ＤＬシンボル及びｆｌｅｘｉｂｌｅシンボルの個数及び位置を示してもよい。
【００８１】
更に、半静的アップリンク／ダウンリンク構成シグナリングは以下の２種類を含む。
【００８２】
１．１）共通半静的アップリンク／ダウンリンク構成シグナリング
該共通半静的アップリンク／ダウンリンク構成シグナリングは半静的アップリンク／ダウンリンク共通構成（ｓｅｍｉ−ｐｅｒｓｉｓｔｅｎｔ  ＵＬ／ＤＬ  ｃｏｍｍｏｎ  ｃｏｎｆｉｇｕｒａｔｉｏｎ）を実現することに用いられ、セル専用の半静的アップリンク／ダウンリンク構成（ｃｅｌｌ−ｓｐｅｃｉｆｉｃ  ｓｅｍｉ−ｓｔａｔｉｃ  ＵＬ／ＤＬ  ｃｏｎｆｉｇｕｒａｔｉｏｎ）とも称される。
【００８３】
１．２）専有半静的アップリンク／ダウンリンク構成シグナリング
該専有半静的アップリンク／ダウンリンク構成シグナリングは半静的アップリンク／ダウンリンク個別の構成（ｓｅｍｉ−ｐｅｒｓｉｓｔｅｎｔ  ＵＬ／ＤＬ  ｄｅｄｉｃａｔｅｄ  ｃｏｎｆｉｇｕｒａｔｉｏｎ）を実現することに用いられ、ユーザー専用の半静的アップリンク／ダウンリンク構成（ＵＥ−ｓｐｅｃｉｆｉｃ  ｓｅｍｉ−ｐｅｒｓｉｓｔｅｎｔ  ＵＬ／ＤＬ  ｃｏｎｆｉｇｕｒａｔｉｏｎ）とも称される。
【００８４】
２）動的スロットフォーマット指示シグナリング
該動的スロットフォーマット指示シグナリングは動的スロットフォーマット指示（Ｄｙｎａｍｉｃ  ｓｌｏｔ  ｆｏｒｍａｔ  ｉｎｄｉｃａｔｉｏｎ）を実現することに用いられる。具体的に、動的スロットフォーマット指示シグナリングはグループ共通ダウンリンク制御チャネル（ｇｒｏｕｐ  ｃｏｍｍｏｎ  ＰＤＣＣＨ）にベアリングされて送信され、各スロットのスロットフォーマットを動的に示すことに用いられる。
【００８５】
更に、動的スロットフォーマット指示シグナリングは以下の２つの指示方式を有する。
【００８６】
２．１）動的スロットフォーマット指示シグナリングで各スロットにおける各シンボルの方向を示す。
【００８７】
２．２）半静的アップリンク／ダウンリンク構成と組み合わせて、動的スロットフォーマット指示シグナリングが半静的アップリンク／ダウンリンク構成におけるｆｌｅｘｉｂｌｅシンボルの方向しか変化できず、半静的アップリンク／ダウンリンク構成におけるＵＬシンボルの方向及びＤＬシンボルの方向を変えない。
【００８８】
３）動的スケジューリングシグナリング
該動的スケジューリングシグナリングは動的スケジューリングに基づくデータ伝送（Ｄｙｎａｍｉｃ  ｓｃｈｅｄｕｌｅｄ  ｄａｔａ  ｔｒａｎｓｍｉｓｓｉｏｎ）、例えば、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）／物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）伝送又は肯定応答（ＡＣＫ）／否定応答（ＮＡＣＫ）がベアリングされる物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）伝送のようなＤＣＩスケジューリングのデータ伝送、更に、例えば、非周期的チャネル状態情報参照信号（ＣＳＩ−ＲＳ、Ｃｈａｎｎｅｌ  Ｓｔａｔｅ  Ｉｎｄｉｃａｔｉｏｎ−Ｒｅｆｅｒｅｎｃｅ  Ｓｉｇｎａｌ）伝送、非周期的サウンディング基準信号（ＳＲＳ、Ｓｏｕｎｄｉｎｇ  Ｒｅｆｅｒｅｎｃｅ  Ｓｉｇｎａｌ）伝送等のようなＤＣＩスケジューリングの測定信号伝送を実現することに用いられる。ＤＣＩスケジューリングのデータ伝送及び測定信号伝送によって、その対応するシンボルがＤＬシンボルであるか、それともＵＬシンボルであるかを暗示的に示す。
【００８９】
４）ＵＥ専用のＲＲＣシグナリング
該ＵＥ専用のＲＲＣシグナリングはＵＥ−ｓｐｅｃｉｆｉｃ  ＲＲＣ構成に基づくデータ伝送（ＵＥ−ｓｐｅｃｉｆｉｃ  ＲＲＣ  ｃｏｎｆｉｇｕｒｅｄ  ｔｒａｎｓｍｉｓｓｉｏｎ）、例えば、周期的測定信号伝送、物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）伝送等を実現することに用いられる。ＵＥ専用のＲＲＣシグナリングに構成されたデータ伝送によって、その対応するシンボルがＤＬシンボルであるか、それともＵＬシンボルであるか、例えば周期的ＣＳＩ−ＲＳに対応するシンボルがＤＬシンボルで、周期的ＳＲＳに対応するシンボルがＵＬシンボルで、ＰＲＡＣＨに対応するシンボルがＵＬシンボルであること等も暗示的に示す。
【００９０】
５）セル専用のＲＲＣシグナリング
該セル専用のＲＲＣシグナリングはセル専用のＲＲＣシグナリング構成に基づくデータ伝送（ｃｅｌｌ−ｓｐｅｃｉｆｉｃ  ＲＲＣ  ｃｏｎｆｉｇｕｒｅｄ  ｔｒａｎｓｍｉｓｓｉｏｎ）、例えば、残りの最小化システム情報（ＲＭＳＩ、Ｒｅｓｉｄｕａｌ  Ｍｉｎｉｍｉｚｅｄ  Ｓｙｓｔｅｍ  Ｉｎｆｏｒｍａｔｉｏｎ）、他のシステム情報（ＯＳＩ、Ｏｔｈｅｒ  Ｓｙｓｔｅｍ  Ｉｎｆｏｒｍａｔｉｏｎ）等のシステム情報の伝送を実現することに用いられる。セル専用のＲＲＣシグナリングに構成されたデータ伝送によって、同様にその対応するシンボルがＵＬシンボルであるか、それともＤＬシンボルであるかを暗示的に示す。
【００９１】
基地局は上記構成シグナリングによってスロットにおけるあるシンボルの伝送方向を明示的又は暗示的に示してもよいが、異なる構成シグナリングで示し得る伝送方向が異なり、これに基づいて、本願の実施例の以下の技術案を提供する。
【００９２】
図１は本願の実施例の伝送方向の決定方法の模式的なフローチャート１であり、図１に示すように、前記伝送方向の決定方法は以下のステップを含む。
【００９３】
ステップ１０１、端末はセル専用のＲＲＣシグナリングである第１構成シグナリングを受信し、前記第１構成シグナリングに基づいて目標リソースが第１伝送方向に対応することを決定する。
【００９４】
ここで、前記端末は携帯電話、タブレットコンピュータ、ノートパソコン等の通信ネットワークにアクセスできる装置であってもよい。
【００９５】
本願の実施例では、第１構成シグナリングがセル専用のＲＲＣシグナリングであり、セル専用のＲＲＣシグナリングに構成されたデータ伝送によって、その対応するシンボルがＵＬシンボルであるか、それともＤＬシンボルであるかを暗示的に示す。例えば、セル専用のＲＲＣシグナリングには、スロットの１番目のシンボル〜４番目のシンボルにおいてあるアップリンクデータを伝送する場合、該スロットの１番目のシンボル〜４番目のシンボルの伝送方向がアップリンク伝送方向であるという情報が構成される。更に、例えば、セル専用のＲＲＣシグナリングには、スロットの３番目のシンボル〜８番目のシンボルにおいてあるダウンリンクデータを伝送する場合、該スロットの３番目のシンボル〜８番目のシンボルの伝送方向がダウンリンク伝送方向であるという情報が構成される。以上によれば、セル専用のＲＲＣシグナリングはあるデータがスロットで占有したシンボルの個数及び位置を決定することができ、該データのアップリンク／ダウンリンクタイプはその占有したシンボルの伝送方向を暗示的に示す。
【００９６】
本願の実施例では、目標リソースとはセル専用のＲＲＣシグナリングがあるデータに構成した少なくとも１つの時間領域シンボルを指し、該データのアップリンク／ダウンリンクタイプで目標リソースの伝送方向を暗示的に示す。本願の実施例では、セル専用のＲＲＣシグナリングで暗示的に示す伝送方向が第１伝送方向と称される。
【００９７】
ステップ１０２、前記端末は第２構成シグナリングを受信し、前記第２構成シグナリングに基づいて前記目標リソースが第２伝送方向に対応することを決定する。
【００９８】
本願の実施例では、第２構成シグナリングは半静的アップリンク／ダウンリンク構成シグナリング、動的スケジューリングシグナリング又はＵＥ専用のＲＲＣシグナリングであってもよい。
【００９９】
上記技術案では、前記半静的アップリンク／ダウンリンク構成シグナリングはＲＲＣシグナリング又はＳＩである。
【０１００】
上記技術案では、前記動的スケジューリングシグナリングはＤＣＩ及び／又はＭＡＣ  ＣＥである。
【０１０１】
１）第２構成シグナリングは半静的アップリンク／ダウンリンク構成シグナリングである。
【０１０２】
ここで、半静的アップリンク／ダウンリンク構成シグナリングは共通半静的アップリンク／ダウンリンク構成シグナリングであってもよく、専有半静的アップリンク／ダウンリンク構成シグナリングであってもよい。
【０１０３】
半静的アップリンク／ダウンリンク構成シグナリングによって、１つの構成サイクル（例えば、５ｍｓ又は１０ｍｓ）におけるスロットフォーマットを構成してもよく、該スロットフォーマットで１つの構成サイクルにおける各スロットのＵＬシンボル、ＤＬシンボル及びｆｌｅｘｉｂｌｅシンボルの個数及び位置を示してもよい。
【０１０４】
半静的アップリンク／ダウンリンク構成シグナリングによって、スロットにおける各シンボルの伝送方向、例えばアップリンク伝送方向、ダウンリンク伝送方向、フレキシブル伝送方向を明示的に示してもよい。
【０１０５】
ここで、フレキシブルシンボルの伝送方向はフレキシブル伝送方向と称され、フレキシブル伝送方向を有するシンボル（即ち、フレキシブルシンボル）はシグナリングの書き替えによってＤＬ伝送又はＵＬ伝送に使用されてもよい。例えば、ＤＣＩによってあるシンボルのフレキシブル伝送方向をＤＬ／ＵＬ方向に変化させる。
【０１０６】
２）第２構成シグナリングは動的スケジューリングシグナリングである。
【０１０７】
ここで、動的スケジューリングシグナリングに構成されたデータ伝送によって、その対応するシンボルがＵＬシンボルであるか、それともＤＬシンボルであるかを暗示的に示し、ＵＬシンボルは該シンボルの伝送方向がアップリンク伝送方向であることを示し、ＤＬシンボルは該シンボルの伝送方向がダウンリンク伝送方向であることを示す。
【０１０８】
３）ＵＥ専用のＲＲＣシグナリングである。
【０１０９】
ここで、ＵＥ専用のＲＲＣシグナリングに構成されたデータ伝送によって、その対応するシンボルがＵＬシンボルであるか、それともＤＬシンボルであるかを暗示的に示し、ＵＬシンボルは該シンボルの伝送方向がアップリンク伝送方向であることを示し、ＤＬシンボルは該シンボルの伝送方向がダウンリンク伝送方向であることを示す。
【０１１０】
ステップ１０３、前記端末は前記目標リソースの方向を前記第１伝送方向として決定し、前記第１伝送方向に基づいてネットワーク装置とデータ伝送を行う。
【０１１１】
以下、第２構成シグナリングの異なる実現方式と組み合わせて、本願の実施例の技術案をそれぞれ説明する。
【０１１２】
１）前記セル専用のＲＲＣシグナリングに基づいて目標リソースがアップリンク伝送方向に対応することを決定し、前記半静的アップリンク／ダウンリンク構成シグナリングに基づいて目標リソースがダウンリンク伝送方向及び／又はフレキシブル伝送方向に対応することを決定する。このような場合、前記端末が前記目標リソースの方向をアップリンク伝送方向として決定し、前記目標リソースにおいてアップリンクデータを送信する。
【０１１３】
２）前記セル専用のＲＲＣシグナリングに基づいて目標リソースがダウンリンク伝送方向に対応することを決定し、前記半静的アップリンク／ダウンリンク構成シグナリングに基づいて目標リソースがアップリンク伝送方向及び／又はフレキシブル伝送方向に対応することを決定する。このような場合、前記端末が前記目標リソースの方向をダウンリンク伝送方向として決定し、前記目標リソースにおいてダウンリンクデータを受信する。
【０１１４】
３）前記セル専用のＲＲＣシグナリングに基づいて目標リソースがアップリンク伝送方向に対応することを決定し、前記動的スケジューリングシグナリングに基づいて目標リソースがダウンリンク伝送方向に対応することを決定する。このような場合、前記端末が前記目標リソースの方向をアップリンク伝送方向として決定し、前記目標リソースにおいてアップリンクデータを送信する。
【０１１５】
４）前記セル専用のＲＲＣシグナリングに基づいて目標リソースがダウンリンク伝送方向に対応することを決定し、前記動的スケジューリングシグナリングに基づいて目標リソースがアップリンク伝送方向に対応することを決定する。前記端末が前記目標リソースの方向をダウンリンク伝送方向として決定し、前記目標リソースにおいてダウンリンクデータを受信する。
【０１１６】
５）前記セル専用のＲＲＣシグナリングに基づいて目標リソースがアップリンク伝送方向に対応することを決定し、前記ＵＥ専用のＲＲＣシグナリングに基づいて目標リソースがダウンリンク伝送方向に対応することを決定する。このような場合、前記端末が前記目標リソースの方向をアップリンク伝送方向として決定し、前記目標リソースにおいてアップリンクデータを送信する。
【０１１７】
６）前記セル専用のＲＲＣシグナリングに基づいて目標リソースがダウンリンク伝送方向に対応することを決定し、前記ＵＥ専用のＲＲＣシグナリングに基づいて目標リソースがアップリンク伝送方向に対応することを決定する。前記端末が前記目標リソースの方向をダウンリンク伝送方向として決定し、前記目標リソースにおいてダウンリンクデータを受信する。
【０１１８】
上記技術案では、前記目標リソースは１つ又は複数のシンボルを含む。
【０１１９】
本願の実施例の技術案では、セル専用のＲＲＣシグナリングに構成されたデータ伝送方向が他のタイプの構成シグナリングで示す伝送方向と異なる場合、端末はセル専用のＲＲＣシグナリングの優先度がより高いという原則に基づいて伝送方向を決定し、それにより端末が異なる伝送方向の２種類の構成シグナリングを受信することによるエラー動作を回避する。
【０１２０】
図２は本願の実施例の伝送方向の決定方法の模式的なフローチャート２であり、図２に示すように、前記伝送方向の決定方法は以下のステップを含む。
【０１２１】
ステップ２０１、ネットワーク装置は目標リソースが第１伝送方向に対応することを示すための第１構成シグナリングを構成して送信し、前記第１構成シグナリングはセル専用のＲＲＣシグナリングである。
【０１２２】
ステップ２０２、前記ネットワーク装置は前記目標リソースが第２伝送方向に対応することを示すための第２構成シグナリングを構成して送信する。
【０１２３】
本願の実施例では、前記第２構成シグナリングは半静的アップリンク／ダウンリンク構成シグナリング、動的スケジューリングシグナリング又はＵＥ専用のＲＲＣシグナリングである。
【０１２４】
上記技術案では、前記半静的アップリンク／ダウンリンク構成シグナリングはＲＲＣシグナリング又はシステム情報ＳＩである。
【０１２５】
上記技術案では、前記動的スケジューリングシグナリングはＤＣＩ及び／又はＭＡＣ  ＣＥである。
【０１２６】
本願の実施例では、前記第２構成シグナリングが半静的アップリンク／ダウンリンク構成シグナリングである場合、ネットワーク装置が第２構成シグナリングを構成することは、
前記ネットワーク装置が前記第１構成シグナリングに基づいて前記第２構成シグナリングを構成することを含み、
前記第１構成シグナリングに構成されたデータがアップリンクデータである場合、前記第２構成シグナリングにおける前記アップリンクデータに対応する目標リソースにおいて、伝送方向をアップリンク伝送方向又はフレキシブル伝送方向として構成し、前記第１構成シグナリングに構成されたデータがダウンリンクデータである場合、前記第２構成シグナリングにおける前記ダウンリンクデータに対応する目標リソースにおいて、伝送方向をダウンリンク伝送方向又はフレキシブル伝送方向として構成する。
【０１２７】
ここで、前記目標リソースは１つ又は複数のシンボルを含む。
【０１２８】
ステップ２０３、前記ネットワーク装置は前記第１伝送方向に基づいて端末とデータ伝送を行う。
【０１２９】
本願の実施例では、ネットワーク装置は端末側に対応し、いずれも第１伝送方向に基づいて端末とデータ伝送を行う必要がある。
【０１３０】
以下、具体的な応用例と組み合わせて本願の実施例の技術案を更に説明する。
【０１３１】
応用例１
セル専用のＲＲＣシグナリングに構成されたデータ伝送及び半静的アップリンク／ダウンリンク構成シグナリングに構成されたデータ伝送である。具体的に、基地局はセル専用のＲＲＣシグナリングに構成されたデータ伝送によってデータの伝送方向を示すと同時に、基地局も半静的アップリンク／ダウンリンク構成シグナリングによってスロットにおけるシンボル方向がＵＬ／ＤＬであるか、それともｆｌｅｘｉｂｌｅであるかを示すこととなる。
【０１３２】
セル専用のＲＲＣシグナリングに構成されたデータ伝送で示す伝送方向がダウンリンクである場合、該ダウンリンクデータ伝送が半静的アップリンク／ダウンリンク構成におけるダウンリンクシンボル又はｆｌｅｘｉｂｌｅシンボルにおいて伝送されることしかできず、
セル専用のＲＲＣシグナリングに構成されたデータ伝送で示す伝送方向がアップリンクである場合、該アップリンクデータ伝送が半静的アップリンク／ダウンリンク構成におけるアップリンクシンボル又はｆｌｅｘｉｂｌｅシンボルにおいて伝送されることしかできない。
【０１３３】
端末はセル専用のＲＲＣシグナリングに構成されたデータ伝送の位置するシンボルの伝送方向と半静的アップリンク／ダウンリンク構成シグナリングで示すシンボルの伝送方向が逆であること、例えば、セル専用のＲＲＣシグナリングに構成されたデータ伝送方向がダウンリンクであるが、半静的アップリンク／ダウンリンク構成シグナリングには該シンボルがアップリンクであることを示すること、又は、セル専用のＲＲＣシグナリングに構成されたデータ伝送方向がアップリンクであるが、半静的アップリンク／ダウンリンク構成シグナリングには該シンボルがダウンリンクであることを示すことを望まない。
【０１３４】
セル専用のＲＲＣシグナリングに構成されたデータ伝送の位置するシンボルの伝送方向と半静的アップリンク／ダウンリンク構成シグナリングで示すシンボルの伝送方向が逆である場合、端末は伝送方向がセル専用のＲＲＣシグナリングで示す方向であることを決定する。
【０１３５】
応用例２
セル専用のＲＲＣシグナリングに構成されたデータ伝送及び動的スケジューリングシグナリングに基づくデータ伝送である。具体的に、基地局はセル専用のＲＲＣシグナリングに構成されたデータ伝送によってデータの伝送方向を示し、基地局は動的スケジューリングシグナリングの方式でデータ伝送を行ってもよく、該データ伝送は決定された伝送方向に対応し、例えば、ＤＣＩスケジューリングのＰＤＳＣＨがダウンリンク伝送であり、ＤＣＩスケジューリングのＰＵＳＣＨ又はＡＣＫ／ＮＡＣＫをベアリングするＰＵＣＣＨがアップリンク伝送であり、更に、例えば、ＤＣＩスケジューリングの非周期的ＣＳＩ−ＲＳ伝送の位置するシンボルがダウンリンクシンボルであり、ＤＣＩスケジューリングの非周期的ＳＲＳ伝送の位置するシンボルがアップリンクシンボルである。
【０１３６】
セル専用のＲＲＣシグナリングに構成されたデータ伝送は該データ伝送の位置するシンボルの伝送方向がダウンリンクであることを示すが、動的スケジューリングシグナリングに基づくデータ伝送は該動的データ伝送の位置するシンボルの伝送方向がアップリンクであることを示す場合、端末は該シンボルをダウンリンクシンボルとしてダウンリンクデータ伝送を受信し、
セル専用のＲＲＣシグナリングに構成されたデータ伝送は該データ伝送の位置するシンボルの伝送方向がアップリンクであることを示すが、動的スケジューリングシグナリングに基づくデータ伝送は該動的データ伝送の位置するシンボルの伝送方向がダウンリンクであることを示す場合、端末は該シンボルをアップリンクシンボルとしてアップリンクデータ伝送を行う。
【０１３７】
応用例３
セル専用のＲＲＣシグナリングに構成されたデータ伝送及びＵＥ専用のＲＲＣシグナリングに基づいて構成されたデータ伝送である。具体的に、基地局はセル専用のＲＲＣシグナリングに構成されたデータ伝送によってデータの伝送方向を示し、基地局はＵＥ専用のＲＲＣシグナリングの方式でデータ伝送を構成してもよく、例えばＵＥ専用のＲＲＣシグナリングによって測定信号伝送を構成し、該測定信号の伝送は決定された伝送方向に対応し、例えばＵＥ専用のＲＲＣシグナリングにより構成された周期的ＣＳＩ−ＲＳ伝送の位置するシンボルがダウンリンクシンボルであり、ＵＥ専用のＲＲＣシグナリングにより構成された周期的ＣＳＩ−ＲＳ伝送の位置するシンボルがアップリンクシンボルである。
【０１３８】
セル専用のＲＲＣシグナリングに構成されたデータ伝送は該データ伝送の位置するシンボルの伝送方向がダウンリンクであることを示すが、ＵＥ専用のＲＲＣシグナリングに基づいて構成されたデータ伝送は該データ伝送の位置するシンボルの伝送方向がアップリンクであることを示す場合、端末が該シンボルをダウンリンクシンボルとしてダウンリンクデータ伝送を受信し、
セル専用のＲＲＣシグナリングに構成されたデータ伝送は該データ伝送の位置するシンボルの伝送方向がアップリンクであることを示すが、ＵＥ専用のＲＲＣシグナリングに基づいて構成されたデータ伝送は該データ伝送の位置するシンボルの伝送方向がダウンリンクであることを示す場合、端末は該シンボルをアップリンクシンボルとしてアップリンクデータ伝送を行う。
【０１３９】
図３は本願の実施例の伝送方向の決定装置の構造模式図１であり、図３に示すように、前記装置は、
第１構成シグナリングを受信するように構成される第１受信ユニット３０１と、
セル専用のＲＲＣシグナリングである前記第１構成シグナリングに基づいて目標リソースが第１伝送方向に対応することを決定するように構成される第１決定ユニット３０２と、
第２構成シグナリングを受信するように構成される第２受信ユニット３０３と、
前記第２構成シグナリングに基づいて前記目標リソースが第２伝送方向に対応することを決定するように構成される第２決定ユニット３０４と、
前記目標リソースの方向を前記第１伝送方向として決定するように構成される第３決定ユニット３０５と、
前記第１伝送方向に基づいてネットワーク装置とデータ伝送を行うように構成される伝送ユニット３０６と、を備える。
【０１４０】
一実施形態では、前記第２構成シグナリングは半静的アップリンク／ダウンリンク構成シグナリング、動的スケジューリングシグナリング又はＵＥ専用のＲＲＣシグナリングである。
【０１４１】
一実施形態では、前記半静的アップリンク／ダウンリンク構成シグナリングはＲＲＣシグナリング又はＳＩである。
【０１４２】
一実施形態では、前記動的スケジューリングシグナリングはＤＣＩ及び／又はＭＡＣ  ＣＥである。
【０１４３】
一実施形態では、前記第１決定ユニット３０２は前記セル専用のＲＲＣシグナリングに基づいて目標リソースがアップリンク伝送方向に対応することを決定するように構成され、
前記第２決定ユニット３０４は前記半静的アップリンク／ダウンリンク構成シグナリングに基づいて目標リソースがダウンリンク伝送方向及び／又はフレキシブル伝送方向に対応することを決定するように構成される。
【０１４４】
前記第３決定ユニット３０５は前記目標リソースの方向をアップリンク伝送方向として決定するように構成され、
前記伝送ユニット３０６は前記目標リソースにおいてアップリンクデータを送信するように構成される。
【０１４５】
一実施形態では、前記第１決定ユニット３０２は前記セル専用のＲＲＣシグナリングに基づいて目標リソースがダウンリンク伝送方向に対応することを決定するように構成され、
前記第２決定ユニット３０４は前記半静的アップリンク／ダウンリンク構成シグナリングに基づいて目標リソースがアップリンク伝送方向及び／又はフレキシブル伝送方向に対応することを決定するように構成される。
【０１４６】
前記第３決定ユニット３０５は前記目標リソースの方向をダウンリンク伝送方向として決定するように構成され、
前記伝送ユニット３０６は前記目標リソースにおいてダウンリンクデータを受信するように構成される。
【０１４７】
一実施形態では、前記第１決定ユニット３０２は前記セル専用のＲＲＣシグナリングに基づいて目標リソースがアップリンク伝送方向に対応することを決定するように構成され、
前記第２決定ユニット３０４は前記動的スケジューリングシグナリングに基づいて目標リソースがダウンリンク伝送方向に対応することを決定するように構成される。
【０１４８】
前記第３決定ユニット３０５は前記目標リソースの方向をアップリンク伝送方向として決定するように構成され、
前記伝送ユニット３０６は前記目標リソースにおいてアップリンクデータを送信するように構成される。
【０１４９】
一実施形態では、前記第１決定ユニット３０２は前記セル専用のＲＲＣシグナリングに基づいて目標リソースがダウンリンク伝送方向に対応することを決定するように構成され、
前記第２決定ユニット３０４は前記動的スケジューリングシグナリングに基づいて目標リソースがアップリンク伝送方向に対応することを決定するように構成される。
【０１５０】
前記第３決定ユニット３０５は前記目標リソースの方向をダウンリンク伝送方向として決定するように構成され、
前記伝送ユニット３０６は前記目標リソースにおいてダウンリンクデータを受信するように構成される。
【０１５１】
一実施形態では、前記第１決定ユニット３０２は前記セル専用のＲＲＣシグナリングに基づいて目標リソースがアップリンク伝送方向に対応することを決定するように構成され、
前記第２決定ユニット３０４は前記ＵＥ専用のＲＲＣシグナリングに基づいて目標リソースがダウンリンク伝送方向に対応することを決定するように構成される。
【０１５２】
前記第３決定ユニット３０５は前記目標リソースの方向をアップリンク伝送方向として決定するように構成され、
前記伝送ユニット３０６は前記目標リソースにおいてアップリンクデータを送信するように構成される。
【０１５３】
一実施形態では、前記第１決定ユニット３０２は前記セル専用のＲＲＣシグナリングに基づいて目標リソースがダウンリンク伝送方向に対応することを決定するように構成され、
前記第２決定ユニット３０４は前記ＵＥ専用のＲＲＣシグナリングに基づいて目標リソースがアップリンク伝送方向に対応することを決定するように構成される。
【０１５４】
前記第３決定ユニット３０５は前記目標リソースの方向をダウンリンク伝送方向として決定するように構成され、
前記伝送ユニット３０６は前記目標リソースにおいてダウンリンクデータを受信するように構成される。
【０１５５】
上記技術案では、前記目標リソースは１つ又は複数のシンボルを含む。
【０１５６】
当業者であれば理解されるように、図３に示される伝送方向の決定装置の各ユニットの実現機能は上記伝送方向の決定方法の関連説明を参照して理解されてもよい。図３に示される伝送方向の決定装置の各ユニットの機能はプロセッサにおいて実行されるプログラムによって実現されてもよく、具体的な論理回路によって実現されてもよい。
【０１５７】
図４は本願の実施例の伝送方向の決定装置の構造模式図２であり、図４に示すように、前記装置は、
目標リソースが第１伝送方向に対応することを示すための第１構成シグナリングを構成して送信するように構成され、前記第１構成シグナリングがセル専用のＲＲＣシグナリングである第１構成ユニット４０１と、
前記目標リソースが第２伝送方向に対応することを示すための第２構成シグナリングを構成して送信するように構成される第２構成ユニット４０２と、
前記第１伝送方向に基づいて端末とデータ伝送を行うように構成される伝送ユニット４０３と、を備える。
【０１５８】
一実施形態では、前記第２構成シグナリングは半静的アップリンク／ダウンリンク構成シグナリング、動的スケジューリングシグナリング又はＵＥ専用のＲＲＣシグナリングである。
【０１５９】
一実施形態では、前記半静的アップリンク／ダウンリンク構成シグナリングはＲＲＣシグナリング又はＳＩである。
【０１６０】
一実施形態では、前記動的スケジューリングシグナリングはＤＣＩ及び／又はＭＡＣ  ＣＥである。
【０１６１】
一実施形態では、前記第２構成シグナリングが半静的アップリンク／ダウンリンク構成シグナリングである場合、前記第２構成ユニット４０２は前記第１構成シグナリングに基づいて前記第２構成シグナリングを構成するように構成され、
前記第１構成シグナリングに構成されたデータがアップリンクデータである場合、前記第２構成シグナリングにおける前記アップリンクデータに対応する目標リソースにおいて、伝送方向をアップリンク伝送方向又はフレキシブル伝送方向として構成し、前記第１構成シグナリングに構成されたデータがダウンリンクデータである場合、前記第２構成シグナリングにおける前記ダウンリンクデータに対応する目標リソースにおいて、伝送方向をダウンリンク伝送方向又はフレキシブル伝送方向として構成する。
【０１６２】
一実施形態では、前記目標リソースは１つ又は複数のシンボルを含む。
【０１６３】
当業者であれば理解されるように、図４に示される伝送方向の決定装置における各ユニットの実現機能については、上記伝送方向の決定方法の関連説明を参照して理解されてもよい。図４に示される伝送方向の決定装置における各ユニットの機能はプロセッサにおいて実行されるプログラムによって実現されてもよく、具体的な論理回路によって実現されてもよい。
【０１６４】
図５は本願の実施例の伝送チャネルの決定方法の模式的なフローチャート１であり、図５に示すように、前記伝送チャネルの決定方法は以下のステップを含む。
【０１６５】
ステップ５０１、端末は目標リソースにおいて第１チャネルを伝送することを決定するための第１構成シグナリングを受信し、前記第１構成シグナリングはセル専用のＲＲＣシグナリングである。
【０１６６】
ここで、前記端末は携帯電話、タブレットコンピュータ、ノートパソコン等の通信ネットワークにアクセスできる装置であってもよい。
【０１６７】
本願の実施例では、第１構成シグナリングはセル専用のＲＲＣシグナリングであり、セル専用のＲＲＣシグナリングによって、目標リソースを第１チャネルの伝送に使用されるように構成し、ここで、第１チャネルはアップリンクチャネルであってもよく、ダウンリンクチャネルであってもよい。
【０１６８】
一実施形態では、前記第１チャネルがダウンリンクチャネルであり、前記第１チャネルに対応する伝送方向がダウンリンク方向である場合、前記端末は前記目標リソースにおいて前記第１チャネルを受信し、他の実施形態では、前記第１チャネルがアップリンクチャネルであり、前記第１チャネルに対応する伝送方向がアップリンク方向である場合、前記端末は前記目標リソースにおいて前記第１チャネルを送信する。
【０１６９】
本願の実施例では、目標リソースとは、セル専用のＲＲＣシグナリングが第１チャネルに構成した少なくとも１つの時間領域シンボルを指す。
【０１７０】
ステップ５０２、前記端末は前記目標リソースにおいて第２チャネルを伝送することを決定するための第２構成シグナリングを受信し、前記第１チャネルに対応する伝送方向と前記第２チャネルに対応する伝送方向が異なる。
【０１７１】
本願の実施例では、第２構成シグナリングは半静的アップリンク／ダウンリンク構成シグナリング、動的スケジューリングシグナリング又はＵＥ専用のＲＲＣシグナリングであってもよい。
【０１７２】
上記技術案では、前記半静的アップリンク／ダウンリンク構成シグナリングはＲＲＣシグナリング又はＳＩである。更に、前記半静的アップリンク／ダウンリンク構成シグナリングは共通半静的アップリンク／ダウンリンク構成シグナリングであってもよく、専有半静的アップリンク／ダウンリンク構成シグナリングであってもよい。
【０１７３】
上記技術案では、前記動的スケジューリングシグナリングはＤＣＩ及び／又はＭＡＣ  ＣＥである。
【０１７４】
一実施形態では、前記第２チャネルがダウンリンクチャネルであり、前記第２チャネルに対応する伝送方向がダウンリンク方向である場合、前記端末は前記目標リソースにおいて前記第２チャネルを受信し、他の実施形態では、前記第２チャネルがアップリンクチャネルであり、前記第２チャネルに対応する伝送方向がアップリンク方向である場合、前記端末は前記目標リソースにおいて前記第２チャネルを送信する。
【０１７５】
ステップ５０３、前記端末は前記目標リソースにおいて第１チャネルを伝送する。
【０１７６】
具体的に、前記第１チャネルに対応する伝送方向がダウンリンク方向である場合、前記端末は前記目標リソースにおいて前記第１チャネルを受信し、前記第１チャネルに対応する伝送方向がアップリンク方向である場合、前記端末は前記目標リソースにおいて前記第１チャネルを送信する。
【０１７７】
以下、第２構成シグナリングの異なる実現方式と組み合わせて、本願の実施例の技術案をそれぞれ説明する。
【０１７８】
１）前記セル専用のＲＲＣシグナリングに基づいて目標リソースがアップリンクチャネルを伝送することに用いられることを決定し、前記半静的アップリンク／ダウンリンク構成シグナリングに基づいて目標リソースがダウンリンクチャネルを伝送することに用いられることを決定する。このような場合、前記端末は前記目標リソースにおいてアップリンクチャネルを伝送する。
【０１７９】
２）前記セル専用のＲＲＣシグナリングに基づいて目標リソースがダウンリンクチャネルを伝送することに用いられることを決定し、前記半静的アップリンク／ダウンリンク構成シグナリングに基づいて目標リソースがアップリンクチャネルを伝送することに用いられることを決定する。このような場合、前記端末は前記目標リソースにおいてダウンリンクチャネルを伝送する。
【０１８０】
３）前記セル専用のＲＲＣシグナリングに基づいて目標リソースがアップリンクチャネルを伝送することに用いられることを決定し、前記動的スケジューリングシグナリングに基づいて目標リソースがダウンリンクチャネルを伝送することに用いられることを決定する。このような場合、前記端末は前記目標リソースにおいてアップリンクチャネルを伝送する。
【０１８１】
４）前記セル専用のＲＲＣシグナリングに基づいて目標リソースがダウンリンクチャネルを伝送することに用いられることを決定し、前記動的スケジューリングシグナリングに基づいて目標リソースがアップリンクチャネルを伝送することに用いられることを決定する。前記端末は前記目標リソースにおいてダウンリンクチャネルを伝送する。
【０１８２】
５）前記セル専用のＲＲＣシグナリングに基づいて目標リソースがアップリンクチャネルを伝送することに用いられることを決定し、前記ＵＥ専用のＲＲＣシグナリングに基づいて目標リソースがダウンリンクチャネルを伝送することに用いられることを決定する。このような場合、前記端末は前記目標リソースにおいてアップリンクチャネルを伝送する。
【０１８３】
６）前記セル専用のＲＲＣシグナリングに基づいて目標リソースがダウンリンクチャネルを伝送することに用いられることを決定し、前記ＵＥ専用のＲＲＣシグナリングに基づいて目標リソースがアップリンクチャネルを伝送することに用いられることを決定する。前記端末は前記目標リソースにおいてダウンリンクチャネルを伝送する。
【０１８４】
図６は本願の実施例の伝送チャネルの決定方法の模式的なフローチャート２であり、図６に示すように、前記伝送チャネルの決定方法は以下のステップを含む。
【０１８５】
ステップ６０１、ネットワーク装置は目標リソースにおいて第１チャネルを伝送することを決定するための第１構成シグナリングを端末に送信し、前記第１構成シグナリングはセル専用のＲＲＣシグナリングである。
【０１８６】
本願の実施例では、前記目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む。
【０１８７】
ステップ６０２、前記ネットワーク装置は前記目標リソースにおいて第２チャネルを伝送することを決定するための第２構成シグナリングを前記端末に送信し、前記第１チャネルに対応する伝送方向と前記第２チャネルに対応する伝送方向が異なる。
【０１８８】
本願の実施例では、前記第２構成シグナリングは半静的アップリンク／ダウンリンク構成シグナリング、動的スケジューリングシグナリング又はＵＥ専用のＲＲＣシグナリングである。
【０１８９】
上記技術案では、前記半静的アップリンク／ダウンリンク構成シグナリングはＲＲＣシグナリング又はシステム情報ＳＩである。
【０１９０】
上記技術案では、前記動的スケジューリングシグナリングはＤＣＩ及び／又はＭＡＣ  ＣＥである。
【０１９１】
本願の実施例では、前記目標リソースにおいて第２チャネルを伝送することは、
前記第２チャネルに対応する伝送方向がダウンリンク方向である場合、前記ネットワーク装置が前記目標リソースにおいて前記第２チャネルを送信すること、又は、
前記第２チャネルに対応する伝送方向がアップリンク方向である場合、前記ネットワーク装置が前記目標リソースにおいて前記第２チャネルを受信することを含む。
【０１９２】
ステップ６０３、前記ネットワーク装置は前記目標リソースにおいて第１チャネルを伝送する。
【０１９３】
本願の実施例では、前記第１チャネルに対応する伝送方向がダウンリンク方向である場合、前記ネットワーク装置が前記目標リソースにおいて前記第１チャネルを送信し、又は、前記第１チャネルに対応する伝送方向がアップリンク方向である場合、前記ネットワーク装置が前記目標リソースにおいて前記第１チャネルを受信する。
【０１９４】
本願の実施例では、前記目標リソースは１つ又は複数の時間領域シンボルを含む。
【０１９５】
図７は本願の実施例の伝送チャネルの決定装置の構造模式図１であり、図７に示すように、前記装置は、
目標リソースにおいて第１チャネルを伝送することを決定するための第１構成シグナリングを受信することに用いられ、前記第１構成シグナリングがセル専用のＲＲＣシグナリングである第１決定ユニット７０１と、
前記目標リソースにおいて第２チャネルを伝送することを決定するための第２構成シグナリングを受信することに用いられ、前記第１チャネルに対応する伝送方向と前記第２チャネルに対応する伝送方向が異なる第２決定ユニット７０２と、
前記目標リソースにおいて第１チャネルを伝送することに用いられる伝送ユニット７０３と、を備える。
【０１９６】
一実施形態では、前記第２構成シグナリングは半静的アップリンク／ダウンリンク構成シグナリング、動的スケジューリングシグナリング又はＵＥ専用のＲＲＣシグナリングである。
【０１９７】
一実施形態では、前記半静的アップリンク／ダウンリンク構成シグナリングはＲＲＣシグナリング又はＳＩである。
【０１９８】
一実施形態では、前記動的スケジューリングシグナリングはＤＣＩ及び／又はＭＡＣ  ＣＥである。
【０１９９】
一実施形態では、前記目標リソースにおいて第１チャネルを伝送することは、
前記第１チャネルに対応する伝送方向がダウンリンク方向である場合、前記端末が前記目標リソースにおいて前記第１チャネルを受信すること、又は、
前記第１チャネルに対応する伝送方向がアップリンク方向である場合、前記端末が前記目標リソースにおいて前記第１チャネルを送信することを含む。
【０２００】
一実施形態では、前記目標リソースにおいて第２チャネルを伝送することは、
前記第２チャネルに対応する伝送方向がダウンリンク方向である場合、前記端末が前記目標リソースにおいて前記第２チャネルを受信すること、又は、
前記第２チャネルに対応する伝送方向がアップリンク方向である場合、前記端末が前記目標リソースにおいて前記第２チャネルを送信することを含む。
【０２０１】
一実施形態では、前記第１チャネルに対応する伝送方向がダウンリンク方向である場合、前記伝送ユニット７０３が前記目標リソースにおいて前記第１チャネルを受信し、又は、
前記第１チャネルに対応する伝送方向がアップリンク方向である場合、前記伝送ユニット７０３が前記目標リソースにおいて前記第１チャネルを送信する。
【０２０２】
一実施形態では、前記目標リソースは１つ又は複数の時間領域シンボルを含む。
【０２０３】
当業者であれば理解されるように、図７に示される伝送チャネルの決定装置における各ユニットの実現機能については、上記伝送チャネルの決定方法の関連説明を参照して理解されてもよい。図７に示される伝送チャネルの決定装置における各ユニットの機能はプロセッサにおいて実行されるプログラムによって実現されてもよく、具体的な論理回路によって実現されてもよい。
【０２０４】
図８は本願の実施例の伝送チャネルの決定装置の構造模式図２であり、図８に示すように、前記装置は、
目標リソースにおいて第１チャネルを伝送することを決定するための第１構成シグナリングを端末に送信することに用いられ、前記第１構成シグナリングがセル専用のＲＲＣシグナリングである第１送信ユニット８０１と、
前記目標リソースにおいて第２チャネルを伝送することを決定するための第２構成シグナリングを前記端末に送信することに用いられ、前記第１チャネルに対応する伝送方向と前記第２チャネルに対応する伝送方向が異なる第２送信ユニット８０２と、
前記目標リソースにおいて第１チャネルを伝送することに用いられる伝送ユニット８０３と、を備える。
【０２０５】
一実施形態では、前記第２構成シグナリングは半静的アップリンク／ダウンリンク構成シグナリング、動的スケジューリングシグナリング又はＵＥ専用のＲＲＣシグナリングである。
【０２０６】
一実施形態では、前記半静的アップリンク／ダウンリンク構成シグナリングはＲＲＣシグナリング又はＳＩである。
【０２０７】
一実施形態では、前記動的スケジューリングシグナリングはＤＣＩ及び／又はＭＡＣ  ＣＥである。
【０２０８】
一実施形態では、前記目標リソースにおいて第１チャネルを伝送することは、
前記第１チャネルに対応する伝送方向がダウンリンク方向である場合、前記ネットワーク装置が前記目標リソースにおいて前記第１チャネルを送信すること、又は、
前記第１チャネルに対応する伝送方向がアップリンク方向である場合、前記ネットワーク装置が前記目標リソースにおいて前記第１チャネルを受信することを含む。
【０２０９】
一実施形態では、前記目標リソースにおいて第２チャネルを伝送することは、
前記第２チャネルに対応する伝送方向がダウンリンク方向である場合、前記ネットワーク装置が前記目標リソースにおいて前記第２チャネルを送信すること、又は、
前記第２チャネルに対応する伝送方向がアップリンク方向である場合、前記ネットワーク装置が前記目標リソースにおいて前記第２チャネルを受信することを含む。
【０２１０】
一実施形態では、前記第１チャネルに対応する伝送方向がダウンリンク方向である場合、前記伝送ユニット８０３が前記目標リソースにおいて前記第１チャネルを送信し、又は、
前記第１チャネルに対応する伝送方向がアップリンク方向である場合、前記伝送ユニット８０３が前記目標リソースにおいて前記第１チャネルを受信する。
【０２１１】
一実施形態では、前記目標リソースは１つ又は複数の時間領域シンボルを含む。
【０２１２】
当業者であれば理解されるように、図８に示される伝送チャネルの決定装置における各ユニットの実現機能については、上記伝送チャネルの決定方法の関連説明を参照して理解されてもよい。図８に示される伝送チャネルの決定装置における各ユニットの機能はプロセッサにおいて実行されるプログラムによって実現されてもよく、具体的な論理回路によって実現されてもよい。
【０２１３】
本願の実施例に記載の伝送方向の決定装置はソフトウェア機能モジュールの形式で実現され、且つ独立した製品として販売又は使用されるときは、１つのコンピュータ可読記憶媒体に記憶されてもよい。このような理解に基づいて、本願の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部を実行させるための若干の命令を含む１つの記憶媒体に記憶される。上記記憶媒体はＵＳＢメモリ、ポータブルハードディスク、読み出し専用メモリ（ＲＯＭ、Ｒｅａｄ  Ｏｎｌｙ  Ｍｅｍｏｒｙ）、磁気ディスク又は光ディスク等のプログラムコードを記憶できる様々な媒体を含む。このように、本願の実施例はいかなる特定のハードウェア及びソフトウェアの組み合わせに制限されるものではない。
【０２１４】
それに対応して、本願の実施例は更にコンピュータ記憶媒体を提供し、該コンピュータ記憶媒体にコンピュータ実行可能命令が記憶され、該コンピュータ実行可能命令がプロセッサにより実行されるとき、本願の実施例の上記伝送方向の決定方法を実現する。
【０２１５】
図９は本願の実施例のコンピュータ装置の構造模式図であり、該コンピュータ装置は端末であってもよく、ネットワーク装置であってもよい。図９に示すように、コンピュータ装置１００は１つ又は複数の（図中には１つのみを示す）プロセッサ１００２（プロセッサ１００２はマイクロコントローラユニット（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１００４、及び通信機能のための伝送装置１００６を備えてもよい。当業者であれば理解できるように、図９に示される構造は模式的なものに過ぎず、上記電子装置の構造を制限するためのものではない。例えば、コンピュータ装置１００は更に図９より多く又は少ないコンポーネントを備えてもよく、又は図９と異なる構成を有してもよい。
【０２１６】
メモリ１００４はアプリケーションソフトウェアのソフトウェアプログラム及びモジュール、例えば本願の実施例におけるページング時間の決定方法に対応するプログラム命令／モジュールを記憶することに用いられてもよく、プロセッサ１００２はメモリ１００４に記憶されるソフトウェアプログラム及びモジュールを実行することにより、様々な機能アプリケーション及びデータ処理を実行し、即ち、上記方法を実現する。メモリ１００４は高速ランダムアクセスメモリを含んでもよく、更に不揮発性メモリ、例えば１つ又は複数の磁気記憶装置、フラッシュメモリ又は他の不揮発性固体メモリを含んでもよい。いくつかの実例では、メモリ１００４は更にプロセッサ１００２に対して遠隔設置されるメモリを含んでもよく、これらの遠隔メモリはネットワーク経由でコンピュータ装置１００に接続されてもよい。上記ネットワークの実例はインターネット、イントラネット、ローカルエリアネットワーク、移動通信ネットワーク及びそれらの組み合わせを含むが、それらに限らない。
【０２１７】
伝送装置１００６は１つのネットワーク経由でデータを送受信することに用いられる。上記ネットワークの具体的な実例はコンピュータ装置１００の通信プロバイダの提供する無線ネットワークを含んでもよい。１つの実例では、伝送装置１００６は基地局によって他のネットワーク装置に接続されてインターネットと通信可能な１つのネットワークインターフェースコントローラ（ＮＩＣ、Ｎｅｔｗｏｒｋ  Ｉｎｔｅｒｆａｃｅ  Ｃｏｎｔｒｏｌｌｅｒ）を備える。１つの実例では、伝送装置１００６は無線周波数（ＲＦ、Ｒａｄｉｏ  Ｆｒｅｑｕｅｎｃｙ）モジュールであってもよく、無線方式でインターネットと通信することに用いられる。
【０２１８】
衝突しない限り、本願の実施例に記載の技術案同士は任意に組み合わせられてもよい。
【０２１９】
本願に係るいくつかの実施例では、理解されるように、開示される方法及びスマート機器は他の方式で実現されてもよい。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される各構成部分同士の結合又は直接結合又は通信接続はいくつかのインターフェース、装置又はユニットによる間接結合又は通信接続であってもよく、電気、機械又は他の形式であってもよい。
【０２２０】
分離部材として説明される上記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよく、実際の必要に応じて、その一部又は全部のユニットを選択して本実施例案の目的を実現してもよい。
【０２２１】
また、本願の各実施例では、各機能ユニットはすべて１つの第２処理ユニットに統合されてもよく、各ユニットはそれぞれ独立して１つのユニットとされてもよく、２つ以上のユニットは１つのユニットに統合されてもよく、上記統合されたユニットはハードウェアの形式で実現されてもよく、ハードウェアプラスソフトウェア機能ユニットの形式で実現されてもよい。
【０２２２】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。
【図１】
2021507640.tif 000003
【図２】
2021507640.tif 000004
【図３】
2021507640.tif 000005
【図４】
2021507640.tif 000006
【図５】
2021507640.tif 000007
【図６】
2021507640.tif 000008
【図７】
2021507640.tif 000009
【図８】
2021507640.tif 000010
【図９】
2021507640.tif 000011
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
伝送方向の決定方法であって、
端末は第１構成シグナリングを取得し、前記第１構成シグナリングは目標リソースに対応する第１伝送方向を決定することに用いられることと、
前記端末は第２構成シグナリングを取得し、前記第２構成シグナリングは前記目標リソースに対応する第２伝送方向を決定することに用いられることと、
前記端末は前記目標リソースの伝送方向を前記第１伝送方向として決定し、前記第１伝送方向においてデータ伝送を行うことと、を含み、
前記第１構成シグナリングはセル専用の無線リソース制御（ＲＲＣ）シグナリングであることを特徴とする伝送方向の決定方法。
【請求項２】
前記第２構成シグナリングは半静的アップリンク／ダウンリンク構成シグナリング、ダウンリンク制御情報（ＤＣＩ）シグナリング又はＵＥ専用のＲＲＣシグナリングである請求項１に記載の方法。
【請求項３】
前記目標リソースに対応する第１伝送方向を決定することは、
前記セル専用のＲＲＣシグナリングに基づいて、目標リソースがアップリンク伝送方向に対応することを決定することを含み、
前記目標リソースに対応する第２伝送方向を決定することは、
動的スケジューリングシグナリングに基づいて、目標リソースがダウンリンク伝送方向に対応することを決定することを含む請求項１又は２に記載の方法。
【請求項４】
前記目標リソースに対応する第１伝送方向を決定することは、
前記セル専用のＲＲＣシグナリングに基づいて、目標リソースがダウンリンク伝送方向に対応することを決定することを含み、
前記目標リソースに対応する第２伝送方向を決定することは、
動的スケジューリングシグナリングに基づいて、目標リソースがアップリンク伝送方向に対応することを決定することを含む請求項１又は２に記載の方法。
【請求項５】
前記目標リソースに対応する第１伝送方向を決定することは、
前記セル専用のＲＲＣシグナリングに基づいて、目標リソースがアップリンク伝送方向に対応することを決定することを含み、
前記目標リソースに対応する第２伝送方向を決定することは、
ＵＥ専用のＲＲＣシグナリングに基づいて、目標リソースがダウンリンク伝送方向に対応することを決定することを含む請求項１又は２に記載の方法。
【請求項６】
前記目標リソースに対応する第１伝送方向を決定することは、
前記セル専用のＲＲＣシグナリングに基づいて、目標リソースがダウンリンク伝送方向に対応することを決定することを含み、
前記目標リソースに対応する第２伝送方向を決定することは、
ＵＥ専用のＲＲＣシグナリングに基づいて、目標リソースがアップリンク伝送方向に対応することを決定することを含む請求項１又は２に記載の方法。
【請求項７】
前記端末が前記目標リソースの伝送方向を前記第１伝送方向として決定し、前記第１伝送方向においてデータ伝送を行うことは、
前記端末が前記目標リソースの伝送方向をアップリンク伝送方向として決定し、前記目標リソースにおいてアップリンクデータを送信することを含む請求項３又は５に記載の方法。
【請求項８】
前記端末が前記目標リソースの伝送方向を前記第１伝送方向として決定し、前記第１伝送方向においてデータ伝送を行うことは、
前記端末が前記目標リソースの伝送方向をダウンリンク伝送方向として決定し、前記目標リソースにおいてダウンリンクデータを受信することを含む請求項４又は６に記載の方法。
【請求項９】
前記目標リソースは１つ又は複数のシンボルを含む請求項１〜８のいずれか１項に記載の方法。
【請求項１０】
伝送方向の決定装置であって、
第１構成シグナリングを取得するように構成される第１受信ユニットと、
セル専用のＲＲＣシグナリングである前記第１構成シグナリングに基づいて、目標リソースに対応する第１伝送方向を決定するように構成される第１決定ユニットと、
第２構成シグナリングを取得するように構成される第２受信ユニットと、
前記第２構成シグナリングに基づいて、前記目標リソースに対応する第２伝送方向を決定するように構成される第２決定ユニットと、
前記目標リソースの伝送方向を前記第１伝送方向として決定するように構成される第３決定ユニットと、
前記第１伝送方向においてデータ伝送を行うように構成される伝送ユニットと、を備えることを特徴とする伝送方向の決定装置。
【請求項１１】
前記第２構成シグナリングは半静的アップリンク／ダウンリンク構成シグナリング、ダウンリンク制御情報（ＤＣＩ）シグナリング又はＵＥ専用のＲＲＣシグナリングである請求項１０に記載の装置。
【請求項１２】
前記第１決定ユニットは、前記セル専用のＲＲＣシグナリングに基づいて、目標リソースがアップリンク伝送方向に対応することを決定するように構成され、
前記第２決定ユニットは、動的スケジューリングシグナリングに基づいて、目標リソースがダウンリンク伝送方向に対応することを決定するように構成される請求項１０又は１１に記載の装置。
【請求項１３】
前記第１決定ユニットは、前記セル専用のＲＲＣシグナリングに基づいて、目標リソースがダウンリンク伝送方向に対応することを決定するように構成され、
前記第２決定ユニットは、動的スケジューリングシグナリングに基づいて、目標リソースがアップリンク伝送方向に対応することを決定するように構成される請求項１０又は１１に記載の装置。
【請求項１４】
前記第３決定ユニットは、前記目標リソースの伝送方向をアップリンク伝送方向として決定するように構成され、
前記伝送ユニットは、前記目標リソースにおいてアップリンクデータを送信するように構成される請求項１２に記載の装置。
【請求項１５】
前記第３決定ユニットは、前記目標リソースの伝送方向をダウンリンク伝送方向として決定するように構成され、
前記伝送ユニットは、前記目標リソースにおいてダウンリンクデータを受信するように構成される請求項１３に記載の装置。
【国際調査報告】
2021507640.tif 000012
2021507640.tif 000013
2021507640.tif 000014
2021507640.tif 000015